(57)【特許請求の範囲】
【請求項１】
ユーザからの操作を受け付けるための操作部を備え、一定時間継続して前記操作部に対する操作が行われなかった場合に、撮像装置の少なくとも一部の構成への電力供給を停止する省電力状態に移行することが可能な撮像装置であって、
少なくとも撮像モードと再生モードとを含む複数の動作モードのいずれかを選択する選択手段と、
前記撮像モードが選択された状態及び前記再生モードが選択された状態で外部装置にデータを転送可能な通信手段と、
前記動作モードが撮像モードであり、かつ前記通信手段により前記外部装置にデータを転送している最中である場合、前記省電力状態に移行しないよう制御し、前記動作モードが再生モードである場合は前記省電力状態に移行できるように制御する制御手段と
を有することを特徴とする撮像装置。
【請求項２】
前記通信手段による前記外部装置との通信が切断された場合に、一定時間継続して前記操作部に対する操作が行われていなければ、前記制御手段は、前記撮像装置を前記省電力状態へ移行させることを特徴とする請求項１に記載の撮像装置。
【請求項３】
前記通信手段は、無線通信を行う手段であることを特徴とする請求項１または２に記載の撮像装置。
【請求項４】
撮像モードが選択された状態及び再生モードが選択された状態で外部装置にデータを転送可能な通信手段と、ユーザからの操作を受け付けるための操作部とを有し、一定所定以上継続して前記操作部に対する操作が行われなかった場合に、撮像装置の少なくとも一部の構成への電力供給を停止する省電力状態に移行することが可能な撮像装置の制御方法であって、
少なくとも前記撮像モードと前記再生モードとを含む複数の動作モードのいずれかを選択する選択ステップと、
前記動作モードが撮像モードであり、かつ前記通信手段により前記外部装置にデータを転送している最中である場合、前記省電力状態に移行しないよう制御し、前記動作モードが再生モードである場合は前記省電力状態に移行できるように制御する制御ステップと
を有することを特徴とする撮像装置の制御方法。
【請求項５】
前記通信手段による前記外部装置との通信が切断された場合に、一定時間継続して前記操作部に対する操作が行われていなければ、前記制御ステップにおいて、前記撮像装置を前記省電力状態へ移行させることを特徴とする請求項４に記載の撮像装置の制御方法。
【請求項６】
前記通信手段は、無線通信を行う手段であることを特徴とする請求項４又は５に記載の撮像装置の制御方法。
【請求項７】
コンピュータに、請求項４乃至６のいずれか１項に記載の制御方法の各ステップを実行させるためのプログラム。
【請求項８】
請求項７に記載のプログラムを格納したことを特徴とするコンピュータが読み取り可能な記憶媒体。
【発明の詳細な説明】
【技術分野】
【０００１】
本発明は、静止画像や動画像を撮像し、撮像した画像を記憶、通信、記録、再生可能な撮像装置及びその制御方法に関する。
【背景技術】
【０００２】
従来、固体メモリ素子を有するメモリカードを記録媒体として、静止画像や動画像を記録再生する電子カメラ等の撮像装置は既に市販されている。更に、画像を印刷する携帯可能なプリンタや、音声データや画像データを通信・保存するパソコン等の画像処理装置も販売されている。
【０００３】
これらの電子カメラやプリンタ、及び／またはパソコンからなる撮像システムを携行することにより、事務所や家庭等の屋内での作業に拘束されずに、屋外において機動的な業務推進を行うことが可能となっている。
【０００４】
特に、通信機能を備えた電子カメラにより撮影した画像データを、通信機能を備えたプリンタに転送して印刷したり、通信機能を備えたパソコンに無線通信を用いて転送するなど、電子カメラとプリンタ及び／またはパソコンを協調して動作させることができる。逆に、パソコンから電子カメラを遠隔操作して撮影を行う機能を備えるなど、電子カメラとパソコンを協調して動作させることもでき、利便性の良い撮像システムを構築することが可能となっている。
【０００５】
また、電子カメラ等の撮像装置においては、オートパワーオフ機能等の省電力機能を備えるものがあり、電子カメラを所定の時間操作しないと自動的に電源が切れたり、表示部が消えたりするものがある。この機能により、電子カメラ等の撮像装置の電池駆動時間を長くすることが可能となっている。
【０００６】
【特許文献１】特開２０００−２９９８３４号公報
【特許文献２】特開２００１−３２７５４１号公報
【発明の開示】
【発明が解決しようとする課題】
【０００７】
このような従来の電子カメラやプリンタ及び／またはパソコンからなる撮像システムにおいては、電子カメラにより撮影した画像データをプリンタに転送する場合に、電子カメラを所定の時間操作しないとオートパワーオフ等の省電力機能が働いてしまうことがある。その場合、転送処理を止めるべきではない動作中でも途中で転送処理を打ち切ってしまうという問題があった。
【０００８】
一方、オートパワーオフ等の省電力機能を解除しておけば、省電力機能が原因で転送処理を止めることは防げるが、省電力機能を実行して省電力すべき動作中でも省電力機能が実行されないため、電子カメラの電池駆動時間を長くすることができないという問題があった。
【０００９】
また、画像データの転送時にオートパワーオフを解除し、転送終了後に設定し直すことも可能である。しかしながら、画像データを転送する度に、解除、設定の操作を行わなければならないため、操作が煩わしく、更に、解除や設定し直すことを忘れたり、オートパワーオフが現在解除されているのか設定されているのか分からなくなったりすることがあった。
【００１０】
また、電子カメラとプリンタの間で画像データの転送を行う際に、通信の電波状況が悪いために通信接続が切れてしまう場合がある。この場合、画像データの転送ができないにも関わらず、所定の時間経過するまでは省電力機能が実行されないため、電子カメラの電池を浪費するという問題があった。
【００１１】
また、電子カメラとプリンタの間で画像データの転送を行う際に、通信の電波状況が悪いとデータ転送レートを低下させて通信を行う場合がある。この時、画像データの転送時間が長くなるため転送が終わらない状況であっても、オートパワーオフ等の省電力機能が働いてしまうことがあり、その場合、転送処理を止めるべきではない動作中でも途中で転送処理を打ち切ってしまうという問題があった。
【００１２】
本発明は上記問題点を鑑みてなされたものであり、ユーザに操作の手間をかけさせることなく、電子カメラにおいて確実に省電力を実現しつつ、電子カメラから外部機器へデータ転送を行っている間に省電力モードに入いらないようにすることを目的とする。
【課題を解決するための手段】
【００１３】
上記目的を達成するために、ユーザからの操作を受け付けるための操作部を備え、一定時間継続して前記操作部に対する操作が行われなかった場合に、撮像装置の少なくとも一部の構成への電力供給を停止する省電力状態に移行することが可能な本発明の撮像装置は、少なくとも撮像モードと再生モードとを含む複数の動作モードのいずれかを選択する選択手段と、前記撮像モードが選択された状態及び前記再生モードが選択された状態で外部装置にデータを転送可能な通信手段と、前記動作モードが撮像モードであり、かつ前記通信手段により前記外部装置にデータを転送している最中である場合、前記省電力状態に移行しないよう制御し、前記動作モードが再生モードである場合は前記省電力状態に移行できるように制御する制御手段とを有する。
【００１４】
また、撮像モードが選択された状態及び再生モードが選択された状態で外部装置にデータを転送可能な通信手段と、ユーザからの操作を受け付けるための操作部とを有し、一定所定以上継続して前記操作部に対する操作が行われなかった場合に、撮像装置の少なくとも一部の構成への電力供給を停止する省電力状態に移行することが可能な撮像装置の本発明の制御方法は、少なくとも前記撮像モードと前記再生モードとを含む複数の動作モードのいずれかを選択する選択ステップと、前記動作モードが撮像モードであり、かつ前記通信手段により前記外部装置にデータを転送している最中である場合、前記省電力状態に移行しないよう制御し、前記動作モードが再生モードである場合は前記省電力状態に移行できるように制御する制御ステップとを有する。
【発明の効果】
【００２１】
本発明によれば、ユーザに操作の手間をかけさせることなく、電子カメラにおいて確実に省電力を実現しつつ、電子カメラから外部機器へデータ転送を行っている間に省電力モードに入いらないようにすることができる。
【発明を実施するための最良の形態】
【００２２】
以下、添付図面を参照して本発明を実施するための最良の形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。
【００２３】
（第１の実施形態）
図１は、本発明の第１の実施形態のシステムの全体構成を示す図である。
【００２４】
図１において、１００は撮像装置、２００は記録媒体、３００は画像処理装置である。
【００２５】
撮像装置１００は通信回路１１０、アンテナ１１２を介して、画像処理装置３００は通信回路３３０、アンテナ３３２を介して、無線通信により相互にコマンド、撮影画像を含むデータを送受している。
【００２６】
撮像装置１００と画像処理装置３００間の無線通信は、IEEE802.11b、IEEE802.11g等の無線LAN通信、Bluetooth等のスペクトラム拡散方式等により行われている。
【００２７】
撮像装置１００は、レンズ３１０を通して撮像した画像データを通信回路１１０、アンテナ１１２、アンテナ３３２、通信回路３３０を介して、画像処理装置３００に送信する。画像処理装置３００は受信した画像データを着脱可能な記録媒体２００に記録すると共に、通信回路３２６、アンテナ３２８を介して、他の画像処理装置或いは通信基地局に送信することができる。
【００２８】
＜撮像装置１００の構成説明＞
図２は、本第１の発明の実施形態における画像処理機能を有する撮像装置１００の構成を示すブロック図である。なお撮像装置１００としては、デジタルカメラ、デジタルビデオカメラ、カメラ付き携帯端末（カメラ付き携帯電話を含む）等があり、何れであってもよい。
【００２９】
図２において、１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００３０】
１８は撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００３１】
２０は画像処理回路であり、Ａ／Ｄ変換器１６からのデータ或いはメモリ制御回路２２からのデータに対して所定の画素補間処理や色変換処理を行う。また、画像処理回路２０は、Ａ／Ｄ変換器１６から出力される画像データを用いて所定の演算処理を行う。そして、得られた演算結果に基づいてシステム制御回路５０が露光制御部４０、測距制御部４２に対して、ＴＴＬ（スルー・ザ・レンズ）方式のオートフォーカス（ＡＦ）処理、自動露出（ＡＥ）処理、フラッシュプリ発光（ＥＦ）処理を行っている。さらに、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００３２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【００３３】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて、撮像した画像データを逐次表示することで、電子ビューファインダー（ＥＶＦ）機能を実現することができる。また、画像表示部２８は、システム制御回路５０の指示により任意に表示をＯＮ／ＯＦＦすることが可能であり、表示をＯＦＦにした場合には撮像装置１００の電力消費を大幅に低減することができる。
【００３４】
３０は撮影した静止画像や動画像を格納するための揮発性メモリ及び或いは不揮発性メモリからなるメモリであり、所定枚数の静止画像や所定時間の動画像を格納するのに十分な記憶容量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００３５】
３２は適応離散コサイン変換（ＡＤＣＴ）等、公知の圧縮方法を用いて画像データを圧縮・伸長する圧縮・伸長回路である。圧縮・伸長回路３２は、メモリ３０に格納された画像を読み込んで圧縮処理或いは伸長処理を行い、処理を終えたデータを再びメモリ３０に書き込む。
【００３６】
４０は露光制御部であり、絞り機能を備えるシャッター１２を制御する。露光制御部４０は、フラッシュ４８と連携することによりフラッシュ調光機能も有する。４２は撮影レンズ１０のフォーカシングを制御する測距制御部、４４は撮影レンズ１０のズーミングを制御するズーム制御部、４６はバリア１０２の動作を制御するバリア制御部である。４８はフラッシュであり、ＡＦ補助光の投光機能、フラッシュ調光機能も有する。露光制御部４０及び測距制御部４２はＴＴＬ方式を用いて制御されている。上述の通り、Ａ／Ｄ変換器１６からの画像データを画像処理回路２０によって演算した演算結果に基づき、システム制御回路５０が露光制御部４０及び測距制御部４２を制御する。
【００３７】
５０は撮像装置１００全体を制御するシステム制御回路、５２はシステム制御回路５０の動作用の定数、変数、プログラム等を記憶するメモリである。
【００３８】
５４はシステム制御回路５０でのプログラムの実行に応じて、文字、画像、音声などを用いて動作状態やメッセージなどを外部に通知するための通知部である。通知部５４としては、例えばＬＣＤやＬＥＤなどによる視覚的な表示を行う表示部や音声による通知を行う発音素子などが用いられるが、これらのうち１つ以上の組み合わせにより構成される。特に、表示部の場合には、撮像装置１００の操作部７０近辺の、視認しやすい、単数あるいは複数箇所に設置されている。また、通知部５４は、その一部の機能が光学ファインダー１０４内に設置されている。
【００３９】
通知部５４の表示内容の内、ＬＣＤなどに表示するものとしては以下のものがある。まず、シングルショット／連写撮影表示、セルフタイマー表示等、撮影モードに関する表示がある。また、圧縮率表示、記録画素数表示、記録枚数表示、残撮影可能枚数表示等の記録に関する表示がある。また、シャッタースピード表示、絞り値表示、露出補正表示、フラッシュ表示、赤目緩和表示等の撮影条件に関する表示がある。その他に、マクロ撮影表示、ブザー設定表示、時計用電池残量表示、電池残量表示、エラー表示、複数桁の数字による情報表示、通信Ｉ／Ｆ動作表示、日付・時刻表示なども行われる。
【００４０】
また、通知部５４の表示内容の内、光学ファインダー１０４内に表示するものとしては、合焦表示、手ぶれ警告表示、フラッシュ充電表示、シャッタースピード表示、絞り値表示、露出補正表示などがある。
【００４１】
５６は電気的に消去・記録可能な不揮発性メモリであり、例えばＥＥＰＲＯＭ等が用いられる。
【００４２】
５８は識別情報を記憶した識別情報記憶部で、通信回路１１０、アンテナ１１２を介して画像処理装置３００と通信を行う際に、通信に先立って認証を行うための各種識別情報が格納されている。なお、識別情報記憶部５８は不揮発性メモリ５６や他のメモリの一部として構成しても良い。
【００４３】
６０、６２、６４、６６、７０及び７２は、システム制御回路５０の各種の動作指示を入力するための操作手段であり、スイッチやダイアル、タッチパネル、視線検知によるポインティング、音声認識装置等の単数或いは複数の組み合わせで構成される。
【００４４】
ここで、これらの操作手段の具体的な説明を行う。
【００４５】
６０はモードダイアルスイッチで、自動撮影モード、プログラム撮影モード、パノラマ撮影モード、再生モード、マルチ画面再生・消去モード、ＰＣ接続モード等の各機能モードを切り替え設定することができる。
【００４６】
６２はシャッタースイッチＳＷ１で、不図示のシャッターボタンの第１ストローク（例えば半押し）によりＯＮとなり、ＡＦ処理、ＡＥ処理、ＡＷＢ処理、ＥＦ処理等の動作開始を指示する。
【００４７】
６４はシャッタースイッチＳＷ２で、不図示のシャッターボタンの第２ストローク（例えば全押し）によりＯＮとなり、露光処理、現像処理、及び記録処理からなる一連の処理の動作開始を指示する。まず、露光処理では、撮像素子１４から読み出した信号をＡ／Ｄ変換器１６、メモリ制御回路２２を介して画像データをメモリ３０に書き込み、更に、画像処理回路２０やメモリ制御回路２２での演算を用いた現像処理が行われる。更に、メモリ３０から画像データを読み出し、圧縮・伸張回路３２で圧縮を行い、メモリ３０に画像データを書き込む記録処理が行われる。
【００４８】
６６は単写／連写スイッチで、シャッタースイッチＳＷ２を押した場合に１駒の撮影を行って待機状態とする単写モードと、シャッタースイッチＳＷ２を押している間は連続して撮影を行い続ける連写モードを設定することができる。
【００４９】
７０は各種ボタンやタッチパネルなどから成る操作部である。一例として、メニューボタン、セットボタン、マクロボタン、マルチ画面再生改ページボタン、フラッシュ設定ボタン、セルフタイマーボタン、メニュー移動＋（プラス）ボタン、メニュー移動−（マイナス）ボタンを含む。また、再生画像移動＋（プラス）ボタン、再生画像移動−（マイナス）ボタン、撮影画質選択ボタン、露出補正ボタン、日付／時間設定ボタン、マルチ画面再生・消去モード設定スイッチなども含む。更に、PC接続モード等の各機能モードを含む再生モードを設定するための再生スイッチと、ワンショットＡＦモードとサーボＡＦモードのいずれかを設定するためのＡＦモード設定スイッチを有する。ワンショットＡＦモードでは、シャッタースイッチＳＷ１が押されるとオートフォーカス動作を開始し、一旦合焦したならばその合焦状態を保ち続ける。サーボＡＦモードでは、シャッタースイッチＳＷ１を押している間は連続してオートフォーカス動作を続ける。更に、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ等がある。更に、ＪＰＥＧ圧縮の圧縮率を選択するため或いは撮像素子の信号をそのままディジタル化して記録媒体に記録するCCDRAWモードを選択する圧縮モードスイッチ等がある。また、画像処理装置３００との通信開始を指示する通信開始ボタン、終了を指示する通信終了ボタン、記録モード／再生モードを切り替えるためのＲＥＣ／ＰＢスイッチ、接続先の登録（ペアリング）ボタンなども含む。更に、オートパワーオフモード（省電力モード）を設定／解除するためのオートパワーオフスイッチを有する。また、上記プラスボタン及びマイナスボタンの各機能は、回転ダイアルスイッチを備えることによって、より軽快に数値や機能を選択することが可能となる。
【００５０】
７２はメインスイッチで、電源オン及び電源オフを切り替え設定することができる。
【００５１】
８０は電源制御部で、電池検出回路、ＤＣ−ＤＣコンバータ、通電するブロックを切り替えるスイッチ回路等により構成されている。電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５２】
８２、８４はコネクタ、８６はアルカリ電池やリチウム電池等の一次電池やＮｉＣｄ電池やＮｉＭＨ電池、Ｌｉ−ｉｏｎ電池、Ｌｉポリマー電池等の二次電池、ＡＣアダプター等からなる電源部である。
【００５３】
１０２は、撮像装置１００のレンズ１０を含む撮像部を覆う事により、撮像部の汚れや破損を防止する保護装置であるバリアである。
【００５４】
１０４は光学ファインダであり、画像表示部２８による電子ファインダー機能を使用すること無しに、光学ファインダーのみを用いて撮影を行うことが可能である。また、光学ファインダー１０４内には、通知部５４の一部の機能、例えば、合焦状態、手振れ警告、フラッシュ充電、シャッタースピード、絞り値、露出補正などが表示される。
【００５５】
１１０は通信回路で、IEEE802.11b、IEEE802.11g等の無線LAN通信、Ｂｌｕｅｔｏｏｔｈ等のスペクトラム拡散通信、ＩｒＤＡ等の赤外線通信等の各種近距離高速データ通信機能を有する。
【００５６】
１１２は通信回路１１０により撮像装置１００を他の機器と接続するアンテナである。
【００５７】
＜画像処理装置３００の構成説明＞
図３は、本発明の第１の実施の形態における画像処理装置３００の構成を示すブロック図である。
【００５８】
図３において、３１０は音声を電気信号に変換するマイク、３１２はマイクのアナログ出力信号をディジタル信号に変換するＡ／Ｄ変換器である。
【００５９】
３１４はメモリ制御回路であり、Ａ／Ｄ変換器３１２の出力データがメモリ制御回路３１４を介してメモリ３２０に書き込まれ、また、メモリ３２０から読み出されたデータがＤ／Ａ変換器３１６に入力される。
【００６０】
３１６はディジタル信号をアナログ信号に変換するＤ／Ａ変換器、３１８は電気信号を音声信号に変換するスピーカーである。
【００６１】
３２０はマイク３１０で入力した音声及び或いは撮像装置１００から送信された静止画像や動画像を格納するためのメモリであり、所定時間の音声及び或いは所定枚数の静止画像、所定時間の動画像を格納するのに十分な記憶容量を備えている。
【００６２】
３２２はメモリ３２０に格納された静止画像データや動画データをアナログ信号に変換するＤ／Ａ変換器、３２４はＤ／Ａ変換器３２２の出力画像信号を表示する画像表示部である。
【００６３】
３２６は通信回路で、ＴＤＭＡ、ＣＤＭＡ、Ｗ−ＣＤＭＡ等の各種遠距離無線通信機能を有する。３２８は通信回路３２６により画像処理装置３００を他の画像処理装置及び或いは通信基地局と回線接続するアンテナである。
【００６４】
３３０は通信回路で、IEEE802.11b、IEEE802.11g等の無線LAN通信、Ｂｌｕｅｔｏｏｔｈ等のスペクトラム拡散通信、ＩｒＤＡ等の赤外線通信等の各種近距離高速データ通信機能を有する。３３２は通信回路３３０により画像処理装置３００を他の機器と接続するアンテナである。
【００６５】
３５０は画像処理装置３００全体を制御するシステム制御回路、３５２はシステム制御回路３５０の動作用の定数、変数、プログラム等を記憶するメモリである。３５４は電気的に消去・記録可能な不揮発性メモリであり、例えばEEPROM等が用いられる。
【００６６】
３５６は識別情報を記憶した識別情報記憶部で、通信回路３３０、アンテナ３３２を介して撮像装置１００と通信を行う際に、通信に先立って認証を行うための各種識別情報が格納されている。なお、識別情報記憶部３５６は不揮発性メモリ３５４や他のメモリの一部として構成しても良い。
【００６７】
３６０はシステム制御回路３５０でのプログラムの実行に応じて、文字、画像、音声等を用いて動作状態やメッセージなどを外部に通知するための通知部である。通知部３６０としては、例えばＬＣＤやＬＥＤなどによる視覚的な表示を行う表示部や音声による通知を行う発音素子などが用いられるが、これらのうち１つ以上の組み合わせにより構成される。特に、表示部の場合には、画像処理装置３００の操作部３６２近辺の、視認しやすい、単数あるいは複数箇所に設置されている。
【００６８】
３６２はシステム制御回路３５０の各種の動作指示を入力するための操作部であり、スイッチやダイアル、タッチパネル、視線検知によるポインティング、音声認識装置等の単数或いは複数の組み合わせで構成される。
【００６９】
操作部３６２によれば、画像処理装置３００の電源オン／オフ、通話の実行（オフフック）／停止（オンフック）、電話番号入力、電話番号検索、通信モード切り替え、等の操作を行うことができる。
【００７０】
３６４は着信通知部で、他の画像処理装置や通信基地局から通話の着信があった場合に、呼出し音、発声音、音楽等の音声及び或いはアイコン、動画、静止画、発光等の画像及び或いは振動等により画像処理装置３００の使用者に着信を通知することができる。
【００７１】
３６６はコネクタ３９２に記録媒体２００が装着されているか否かを検知する記録媒体着脱検知回路である。
【００７２】
３８０は電源制御部で、電池検出回路、ＤＣ−ＤＣコンバータ、通電するブロックを切り替えるスイッチ回路等により構成されている。電池の装着の有無、電池の種類、電池残量の検出を行い、検出結果及びシステム制御回路３５０の指示に基づいてDC-DCコンバータを制御し、必要な電圧を必要な期間、記録媒体を含む各部へ供給する。
【００７３】
３８２、３８４はコネクタ、３８６はアルカリ電池やリチウム電池等の一次電池やＮｉＣｄ電池やＮｉＭＨ電池、Ｌｉ−ｉｏｎ電池、Ｌｉポリマー電池等の二次電池、ＡＣアダプター等からなる電源部である。
【００７４】
３９０はメモリカードやハードディスク等の記録媒体とのインタフェース、３９２はメモリカードやハードディスク等の記録媒体と接続を行うコネクタである。
【００７５】
なお、本実施の形態では記録媒体を取り付けるインタフェース及びコネクタを１系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００７６】
インタフェース及びコネクタとしては、ＰＣＭＣＩＡカードやＣＦ（登録商標）カード、ＳＤカード、ＭＭＣカード等の規格に準拠したものを用いて構成することが可能である。なお、本発明はこれらの規格に限られるものではなく、その他の規格に準拠するようにしても構わない。インタフェース３９０及びコネクタ３９２をＰＣＭＣＩＡカードやＣＦ（登録商標）カード、ＳＤメモリーカード等の規格に準拠したものを用いて構成した場合、各種通信カードを接続することが可能になる。通信カードとしては、例えば、ＬＡＮカードやモデムカード、ＵＳ２カード、ＩＥＥＥ１３９４カード、Ｐ１２８４カード、ＳＣＳＩカード、ＰＨＳ等の通信カード等であってもよい。これら通信カードを接続することで、他のコンピュータやプリンタ等の周辺機器との間で画像データや画像データに付属した管理情報を転送し合うことができる。
【００７７】
＜記録媒体２００の構成説明＞
図３に示されるように、記録媒体２００は、半導体メモリや磁気ディスク等から構成される記録部２０２、画像処理装置３００とのインタフェース２０４、画像処理装置３００と接続を行うコネクタ２０６、識別情報を記憶する識別情報記憶部２０８を備えている。
【００７８】
なお、記録媒体２００としては、PCMCIAカードやＣＦ（コンパクトフラッシュ(登録商標)）カード、SD（セキュアデジタル）メモリーカード、ＭＭＣ（マルチメディアカード）等のメモリカード、ハードディスク等を用いることができる。他に、マイクロDAT、光磁気ディスク、CD-RやCD-WR等の光ディスク、DVD等の相変化型光ディスク等で構成されていても勿論問題無い。
【００７９】
また、記録媒体２００はメモリカードとハードディスク等が一体となった複合媒体であっても勿論問題無い。さらに、その複合媒体から一部が着脱可能な構成としても勿論問題無い。
【００８０】
＜撮像装置１００の動作説明＞
次に、図４乃至図９を参照して、第１の実施形態の上記構成を有する撮像装置１００の動作について説明する。
【００８１】
図４乃至図６は本第１の実施形態の撮像装置１００の主ルーチンのフローチャートを示す。
【００８２】
図４において、メインスイッチ７２によるＯＮ操作や電池交換等の電源投入により、システム制御回路５０はフラグや制御変数等を初期化すると共に、撮像装置１００各部の初期化処理を行う（ステップＳ１０１）。
【００８３】
次に、システム制御回路５０はメインスイッチ７２の状態を確認し（ステップＳ１０２）、電源ＯＦＦに設定されていたならば、オートパワーオフモードフラグをＯＦＦにする（ステップＳ１０３）。
【００８４】
そして、ステップＳ１０４において、システム制御回路５０は、各表示部の表示を終了状態に変更し、バリア１０２を閉じて撮像部を保護し、フラグや制御変数等を含む必要なパラメータや設定値、設定モードを不揮発性メモリ５６に記録する。更に、システム制御回路５０は、電源制御部８０により画像表示部２８を含む撮像装置１００各部の不要な電源を遮断する等の所定の終了処理（パワーオフ処理）を行った後、ステップＳ１０２に戻る。
【００８５】
ステップＳ１０２でメインスイッチ７２が電源ＯＮに設定されていたならば、ステップＳ１０５に進む。そして、システム制御回路５０は、操作部７０に含まれるオートパワーオフモードスイッチによりオートパワーオフモード（省電力モード）が設定されているかどうかを判断する。設定されていればステップＳ１０６に進み、システム制御回路５０の内部メモリ或いはメモリ５２に記憶されたオートパワーオフモードフラグの状態を判断する。オートパワーオフモードフラグがＯＮ状態であれば、そのままステップＳ１１０に進む。一方、オートパワーオフモードフラグがＯＦＦ状態であれば、システム制御回路５０は、オートパワーオフモードフラグをＯＮ状態に変更して、システム制御回路５０の内部メモリ或いはメモリ５２に記憶する（ステップＳ１０７）。更に、システム制御回路５０は、オートパワーオフ時間Ｍをリセットしてシステム制御回路５０の内部メモリ或いはメモリ５２に記憶し（ステップＳ１０８）、ステップＳ１１０に進む。
【００８６】
一方、ステップＳ１０５で、オートパワーオフモードスイッチによりオートパワーオフモードが解除されていれば、オートパワーオフモードフラグをＯＦＦにして（ステップＳ１０９）、ステップＳ１１０に進む。
【００８７】
ステップＳ１１０において、システム制御回路５０は、電源制御部８０により電池等により構成される電源８６の残容量や動作情況が撮像装置１００の動作に問題があるか否かを判断する。問題があるならば（ステップＳ１１０でＮＯ）、通知部５４や画像表示部２８を用いて画像や音声により所定の警告を行った後に（ステップＳ１１１）、上述したステップＳ１０３及びＳ１０４の処理を行い、ステップＳ１０２に戻る。
【００８８】
一方、電源８６に問題が無いならば（ステップＳ１１０でＹＥＳ）システム制御回路５０の内部メモリ或いはメモリ５２に記憶したオートパワーオフ時間Ｍリセット後の経過時間を取得し、オートパワーオフ動作を実行すべきか否かを判定する（ステップＳ１１２）。なお、ステップＳ１１２で行われるオートパワーオフ実行判定処理の詳細は図９を用いて後述する。
【００８９】
次に、ステップＳ１１３においてシステム制御回路５０は、オートパワーオフ実行フラグの状態を判断する。オートパワーオフ実行フラグがＯＮならば、上述したステップＳ１０３及びＳ１０４の処理を行い、ステップＳ１０２に戻る。
【００９０】
一方、オートパワーオフ実行フラグがＯＦＦならば、システム制御回路５０は、通知部５４及び或いは画像表示部２８を用いて画像や音声により電池残容量やメモリ３０の状態を含む撮像装置１００の各種設定状態の表示を行う（ステップＳ１１４）。
【００９１】
ステップＳ１１４の処理後、ステップＳ１１５では、システム制御回路５０は、操作部７０に含まれる通信開始ボタンが押されているか否かを判断する。通信開始ボタンが押されていなければ、ステップＳ１２１に進む。
【００９２】
ステップＳ１２１では、操作部７０に含まれる通信終了ボタンが押されているか否かを判断し、押されていなければ図５のステップＳ１３１に進む。通信終了ボタンが押されていれば、ステップＳ１２２において通知部５４及び或いは画像表示部２８を用いて画像や音声により警告表示を行い、通信していれば通信フラグをＯＦＦにしてから図５のステップＳ１３１に進む。
【００９３】
通信開始ボタンが押されていたならば（ステップＳ１１５でＹＥＳ）、システム制御回路５０は、画像処理装置３００との間の通信状態を確立するための通信開始処理を行う（ステップＳ１１６）。
【００９４】
通信開始処理を実行した結果、システム制御回路５０は、撮像装置１００と画像処理装置３００との間で通信が確立したかどうかを判断する（ステップＳ１１７）。確立しなかったならば、システム制御回路５０は、通知部５４及び或いは画像表示部２８を用いて画像や音声により所定の警告を行い（ステップＳ１２０）、図５のステップＳ１３１に進む。
【００９５】
一方、撮像装置１００と画像処理装置３００との間で通信が確立したならば（ステップＳ１１７でＹＥＳ）、システム制御回路５０は、画像処理装置３００と通信を開始する（ステップＳ１１８）。更に、システム制御回路５０の内部メモリ或いはメモリ５２に記憶された通信フラグをＯＮに設定して（ステップＳ１１９）、図５のステップＳ１３１に進む。
【００９６】
ステップＳ１３１において、システム制御回路５０は、操作部７０に含まれるＲＥＣ／ＰＢスイッチの設定状態を判断する。ＲＥＣ／ＰＢスイッチがＲＥＣ状態に設定されていたならば（ステップＳ１３１）、システム制御回路５０は、システム制御回路５０の内部メモリ或いはメモリ５２に記憶されたＲＥＣモードフラグをＯＮに設定する（ステップＳ１３２）。そして、図６のステップＳ１５１に進む。
【００９７】
ステップＳ１３１でＲＥＣ／ＰＢスイッチがＰＢ状態に設定されていたならば、システム制御回路５０は、システム制御回路５０の内部メモリ或いはメモリ５２に記憶されたＰＢモードフラグをＯＮに設定して（ステップＳ１３３）、ステップＳ１３４に進む。なお、ＲＥＣモードフラグとＰＢモードフラグは、いずれか一方がＯＮの場合、他方が必ずＯＦＦとなる。
【００９８】
ステップＳ１３４で、システム制御回路５０は、モードダイアル６０、シャッタースイッチ６２、６４、単写／連写スイッチ６６、及び或いは、操作部７０に含まれる各種操作ボタンやスイッチ類への操作入力を確認する。操作入力が無かったならば（ステップＳ１３４でＮＯ）、図４のステップＳ１０２に戻る。
【００９９】
一方、操作入力があったならば（ステップＳ１３４でＹＥＳ）、システム制御回路５０は、オートパワーオフ時間Ｍをリセットしてシステム制御回路５０の内部メモリ或いはメモリ５２に記憶する（ステップＳ１３５）。そして、操作入力に応じた再生動作を実行して（ステップＳ１３６）、ステップＳ１３７に進む。
【０１００】
ステップＳ１３７では、通信フラグの状態を確認し、ＯＦＦであれば図４６のステップＳ１０２に戻り、ＯＮであれば、ステップＳ１３８に進む。ステップＳ１３８において、再生画像を送信するか判断し、送信する場合にはステップＳ１３９で再生画像の送信を開始してから、送信しない場合には直接、図４のステップＳ１０２に戻る。
【０１０１】
一方、ＲＥＣ／ＰＢスイッチがＲＥＣ状態に設定され、ステップＳ１３２でＲＥＣモードフラグをＯＮした場合、図６のステップＳ１５１に進む。そして、システム制御回路５０は、シャッタースイッチＳＷ１の状態を確認し、シャッタースイッチＳＷ１が押されていなければ、ステップＳ１０２に戻る。シャッタースイッチＳＷ１が押されたならば（ステップＳ１５１でＹＥＳ）、システム制御回路５０は、オートパワーオフ時間Ｍをリセットしてシステム制御回路５０の内部メモリ或いはメモリ５２に記憶し（ステップＳ１５３）、ステップＳ１５４に進む。
【０１０２】
システム制御回路５０は、測距処理を行って撮影レンズ１０の焦点を被写体に合わせ、測光処理を行って絞り値及びシャッタ時間を決定し、ホワイトバランス処理を行って色温度を合わせる（ステップＳ１５４）。測光の結果、必要であればフラッシュ・フラグをセットし、フラッシュの設定も行う。なお、この測距・測光処理では、システム制御回路５０の内部メモリ或いはメモリ５２に記憶された撮影開始フラグ及び或いはＡＥロックフラグ及び／或いはホワイトバランスモード設定フラグの状態を確認する。そして、その状態に応じて、ＡＥ制御及び／或いはＡＷＢ制御の実行の可否を判断し、判断結果に応じて各々の処理を行う。このステップＳ１５４で行う測距・測光処理の詳細は図７を用いて後述する。
【０１０３】
測距・測光処理（ステップＳ１５４）を終えたならば、システム制御回路５０は、システム制御回路５０の内部メモリ或いはメモリ５２に記憶されたフラッシュフラグの状態を判断する（ステップＳ１５５）。フラッシュフラグが設定されていたならば、フラッシュ４８の充電を行い（ステップＳ１５６）、ステップＳ１５７に進む。フラッシュフラグが解除されていたならば、直接ステップＳ１５７に進む。
【０１０４】
システム制御回路５０は、シャッタスイッチＳＷ２が押されずに（ステップＳ１５７でＯＦＦ）、更にシャッタスイッチＳＷ１も解除されたならば（ステップＳ１５８でＯＦＦ）、ステップＳ１０２に戻る。シャッタースイッチＳＷ１が押されたままであったならば（ステップＳ１５８でＯＮ）、オートパワーオフ時間Ｍをリセットしてシステム制御回路５０の内部メモリ或いはメモリ５２に記憶し（ステップＳ１５９）、ステップＳ１５７に戻る。
【０１０５】
シャッタースイッチＳＷ２が押されたならば（ステップＳ１５７でＯＮ）、オートパワーオフ時間Ｍをリセットしてシステム制御回路５０の内部メモリ或いはメモリ５２に記憶し（ステップＳ１６０）、ステップＳ１６１に進む。
【０１０６】
次にステップＳ１６０において、システム制御回路５０は撮影処理を実行する。この撮影処理では、撮像素子１４、Ａ／Ｄ変換器１６、画像処理回路２０、メモリ制御回路２２を介して、或いはＡ／Ｄ変換器１６から直接メモリ制御回路２２を介して、メモリ３０に撮影した画像データを書き込む。なお、このステップＳ１６１における撮影処理の詳細は図８を参照して後述する。
【０１０７】
次に、システム制御回路５０は、メモリ制御回路２２そして必要に応じて画像処理回路２０を用いて、メモリ３０に書き込まれた画像データを読み出して各種処理を行う現像処理を実行する（ステップＳ１６２）。更に、必要に応じて、圧縮・伸長回路３２を用いて設定したモードに応じた画像圧縮処理を行った後（ステップＳ１６３）、メモリ３０に確保したバッファ領域に、所定の処理を行った画像データを記憶する（ステップＳ１６４）。
【０１０８】
次に、システム制御回路５０は、システム制御回路５０の内部メモリ或いはメモリ５２に記憶された通信フラグの状態を判断し（ステップＳ１６５）、通信フラグがＯＦＦであればステップＳ１６８に進む。通信フラグがＯＮであれば、システム制御回路５０は、メモリ３０に確保したバッファ領域に、撮像装置１００から画像処理装置３００に向けて未転送の画像データが有るかどうかを判断する（ステップＳ１６６）。未転送画像データが無いならば（ステップＳ１６６でＮＯ）、ステップＳ１６８に進む。
【０１０９】
未転送画像データがあるならば（ステップＳ１６６でＹＥＳ）、システム制御回路５０は、メモリ３０に確保したバッファ領域から通信回路１１０、アンテナ１１１を介して未転送画像データの転送を開始し（ステップＳ１６７）、ステップＳ１６８に進む。
【０１１０】
ステップＳ１６８では、システム制御回路５０は、シャッタースイッチＳＷ１の状態を確認する。押されていたならば、システム制御回路５０は、オートパワーオフ時間Ｍをリセットしてシステム制御回路５０の内部メモリ或いはメモリ５２に記憶し（ステップＳ１６９）、ステップＳ１５７に戻る。押されていないならば、図４のステップＳ１０２に戻る。
【０１１１】
図７は、図６のステップＳ１５４における測距・測光処理の詳細なフローチャートを示す。システム制御回路５０は、撮像素子１４から電荷信号を読み出し、Ａ／Ｄ変換器１６を介して画像処理回路２０に画像データを逐次読み込む（ステップＳ２０１）。この逐次読み込まれた画像データを用いて、画像処理回路２０はＴＴＬ方式のＡＥ処理、ＥＦ処理、ＡＦ処理に用いる所定の演算を行う。
【０１１２】
なお、ここでの各処理は、撮影した全画素数のうちの必要に応じた特定の部分を必要個所分切り取って抽出し、演算に用いる。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【０１１３】
システム制御回路５０は、画像処理回路２０での演算結果を用いて露出（ＡＥ）が適正と判断されるまで（ステップＳ２０２でＹＥＳとなるまで）、露光制御部４０を用いてＡＥ制御を行う（ステップＳ２０３）。そしてステップＳ２０４に進み、システム制御回路５０は、ＡＥ制御で得られた測定データを用いてフラッシュが必要か否かを判断する。フラッシュが必要ならば（ステップＳ２０４でＹＥＳ）フラッシュ・フラグをセットし、フラッシュ４８を充電する（ステップＳ２０５）。
【０１１４】
露出（ＡＥ）が適正と判断したならば（ステップＳ２０２でＹＥＳ）、測定データ及び／或いは設定パラメータをシステム制御回路５０の内部メモリ或いはメモリ５２に記憶する。
【０１１５】
次に、画像処理回路２０での演算結果及びＡＥ制御で得られた測定データを用いて、システム制御回路５０はホワイトバランス（ＡＷＢ）が適正かどうか判断する。適正であると判断されるまで（ステップＳ２０６でＹＥＳとなるまで）、画像処理回路２０を用いて色処理のパラメータを調節してＡＷＢ制御を行う（ステップＳ２０７）。
【０１１６】
ＡＷＢが適正と判断したならば（ステップＳ２０６でＹＥＳ）、測定データ及び／或いは設定パラメータをシステム制御回路５０の内部メモリ或いはメモリ５２に記憶する。
【０１１７】
次に、画像処理回路２０での演算結果及びＡＥ制御及びＡＷＢ制御で得られた測定データを用いて、システム制御回路５０は測距（ＡＦ）を行う。そして、その結果が合焦と判断されるまで（ステップＳ２０８でＮＯの間）、測距制御部４２を用いてＡＦ制御を行う（ステップＳ２０９）。
【０１１８】
測距（ＡＦ）の結果、合焦と判断したならば（ステップＳ２０８でＹＥＳ）、測定データ及び／或いは設定パラメータをシステム制御回路５０の内部メモリ或いはメモリ５２に記憶し、測距・測光処理ルーチン（ステップＳ１５４）を終了する。
【０１１９】
図８は、図６のステップＳ１６１における撮影処理の詳細なフローチャートを示す。
【０１２０】
システム制御回路５０は、ステップＳ３０１において、システム制御回路５０の内部メモリ或いはメモリ５２に記憶される測光データを読み出す。そして、露光制御部４０により、絞り機能を有するシャッター１２を読み出した測光データに対応する絞り値に応じて開放して、撮像素子１４の露光を開始する（ステップＳ３０２）。
【０１２１】
ステップＳ３０３で、フラッシュ・フラグがセットされているかをチェックしてフラッシュ４８が必要か否かを判断し、必要な場合にはフラッシュ４８を発光させる（ステップＳ３０４）。システム制御回路５０は、測光データに従って撮像素子１４の露光終了を待ち（ステップＳ３０５）、シャッター１２を閉じて（ステップＳ３０６）、撮像素子１４から電荷信号を読み出す。そして、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（ステップＳ３０７）。
【０１２２】
一連の処理を終えたならば、撮影処理ルーチン（ステップＳ１６１）を終了する。
【０１２３】
図９は、図４のステップＳ１１２におけるオートパワーオフ実行判定処理の詳細なフローチャートを示す。
【０１２４】
システム制御回路５０は、まず、オートパワーオフモードフラグの状態を確認する（ステップＳ４００）。オートパワーオフモードフラグがＯＦＦであれば、オートパワーオフモードが設定されていないので、ステップＳ４０７に進んでオートパワーオフ実行フラグをＯＦＦに設定する。このように、オートパワーオフモードフラグがＯＦＦの場合には、オートパワーオフ実行フラグがＯＦＦに設定されるので、撮像装置１００のパワーオフ処理は行われない。
【０１２５】
一方、オートパワーオフモードフラグがＯＮであれば、システム制御回路５０の内部メモリ或いはメモリ５２に記憶しているオートパワーオフ時間Ｍリセット後の経過時間を、システム制御回路５０内部或いは外部のタイマーから取得する（ステップＳ４０１）。そして、取得したオートパワーオフ時間Mリセット後の経過時間からオートパワーオフ動作を実行すべき時間に到達しているか否かを判断する（ステップＳ４０２）。
【０１２６】
オートパワーオフ動作を実行すべき時間に到達していないならば（ステップＳ４０２でＮＯ）、システム制御回路５０は、システム制御回路５０の内部メモリ或いはメモリ５２に記憶されたオートパワーオフ実行フラグをＯＦＦに設定する（ステップＳ４０７）。そして、オートパワーオフ実行判定ルーチン（ステップＳ１１２）を終了する。
【０１２７】
一方、オートパワーオフ動作を実行すべき時間に到達していたならば（ステップＳ４０２でＹＥＳ）、システム制御回路５０は、システム制御回路５０の内部メモリ或いはメモリ５２に記憶された通信フラグの状態を判断する（ステップＳ４０３）。そして、通信フラグが設定されていなかったならば、ステップＳ４０６に進む。
【０１２８】
通信フラグが設定されていたならば（ステップＳ４０３でＯＮ）、システム制御回路５０は、操作部７０に含まれるＲＥＣ／ＰＢスイッチの設定状態を判断する（ステップＳ４０４）。ＲＥＣ／ＰＢスイッチがＲＥＣ状態に設定されていたならばステップＳ４０５に進み、ＲＥＣ／ＰＢスイッチがＰＢ状態に設定されていたならば、ステップＳ４０６に進む。
【０１２９】
ステップＳ４０５において、撮像装置１００から画像処理装置３００に向けて画像データが転送中ならば、ステップＳ４０７に進んで、オートパワーオフ実行フラグをＯＦＦに設定し、オートパワーオフ実行判定ルーチン（ステップＳ１１２）を終了する。
【０１３０】
画像データが転送中でなければ、ステップＳ４０６に進む。ステップＳ４０６では、システム制御回路５０は、システム制御回路５０の内部メモリ或いはメモリ５２に記憶されたオートパワーオフ実行フラグをＯＮに設定して、オートパワーオフ実行判定ルーチン（ステップＳ１１２）を終了する。
【０１３１】
上記のように、撮影した画像を画像処理装置３００に転送している間は、オートパワーオフ実行フラグをＯＦＦすることにより、オートパワーモードが設定されている場合であっても、画像の転送中にパワーオフ処理が実行されないようにすることができる。また、画像の転送中であっても、オートパワーオフ時間Ｍをリセットしないので、画像の転送が終了時に、所定時間が経過していれば、すぐにオートパワーオフ実行フラグがＯＮに設定されるため、電子カメラの電池を無駄に浪費せずにすむようになる。
【０１３２】
＜画像処理装置３００の動作説明＞
図１０を参照して、第１の実施形態の画像処理装置３００の動作を説明する。
【０１３３】
図１０は本実施形態の画像処理装置３００の主ルーチンのフローチャートを示す。
【０１３４】
図１０において、電池交換等の電源投入により、システム制御回路３５０はフラグや制御変数等を初期化すると共に、画像処理装置３００各部の初期化処理を行う（ステップＳ５０１）。
【０１３５】
次に、システム制御回路３５０は、操作部３６２に含まれる電源スイッチの状態を確認する（ステップＳ５０２）。そして、電源ＯＦＦに設定されていたならば、システム制御回路３５０は、各表示部の表示を終了状態に変更し、フラグや制御変数等を含む必要なパラメータや設定値、設定モードを不揮発性メモリ３５４に記録する。システム制御回路３５０は、電源制御部３８０により画像表示部３２４を含む画像処理装置３００各部の不要な電源を遮断する等の所定の終了処理（パワーオフ処理）を行った後（ステップＳ５０３）、ステップＳ５０２に戻る。ステップＳ５０２で操作部３６２に含まれる電源スイッチが電源ＯＮに設定されていたならば、ステップＳ５０４に進む。
【０１３６】
ステップＳ５０４において、システム制御回路３５０は、電源制御部３８０により電池等により構成される電源３８６の残容量や動作情況が画像処理装置３００の動作に問題があるか否かを判断する。問題があるならば（ステップＳ５０４でＮＯ）、通知部３６０及び或いは画像表示部３２４を用いて画像や音声により所定の警告を行った後に（ステップＳ５０５）、上述したステップＳ５０３の処理を行い、ステップＳ５０２に戻る。
【０１３７】
一方、電源３８６に問題が無いならば（ステップＳ５０４でＹＥＳ）、ステップＳ５０６に進む。そして、システム制御回路３５０は、通知部３６０及び或いは画像表示部３２４を用いて画像や音声により電池残容量やメモリ３２０の状態を含む画像処理装置３００の各種設定状態の表示を行う。撮像装置１００からの着信呼び出しを待つ待ち受け状態で待機する（ステップＳ５０７）。
【０１３８】
撮像装置１００からのコマンドやデータの受信が無かったならば（ステップＳ５０８でＮＯ）、ステップＳ５０２に戻る。
【０１３９】
撮像装置１００からのコマンドやデータの受信があり（ステップＳ５０８でＹＥＳ）、受信したコマンドやデータに応じて撮像装置１００と画像処理装置３００との間の通信を確立する処理を行う場合は（ステップＳ５０９でＹＥＳ）、ステップＳ５１０に進む。ステップＳ５１０において、通信回路３３０、アンテナ３３２を介して通信確立処理を実行して、ステップＳ５０２に戻る。
【０１４０】
撮像装置１００からのコマンドやデータの受信があり（ステップＳ５０８でＹＥＳ）、通信確立処理では無く（ステップＳ５０９でＮＯ）、受信したコマンドやデータに応じて画像受信を行う場合は（ステップＳ５１１）、ステップＳ５１２に進む。ステップＳ５１２において、アンテナ３３２、通信回路３３０を介してメモリ３２０に画像データを格納する撮像装置１００からの画像受信処理を行い、処理を終えたならばステップＳ５０２に戻る。
【０１４１】
以上説明したように、第１の実施形態によれば、撮像装置１００により撮影した画像データを画像処理装置３００に転送する場合に、再生（ＰＢ）モードであればオートパワーオフ等の省電力機能を優先する。そのため、省電力機能を実行する場合は、画像データの転送中であれば、転送を打ち切って省電力機能を実行させる。一方、撮影（ＲＥＣ）モードであれば画像データの転送を優先とし、撮影した画像データの転送が完了するまで待ってから省電力機能を実行させる。これにより、撮影した画像データの転送と省電力機能の実行を適切に両立させた利便性の高い撮像装置を提供することが可能となる。
【０１４２】
（第２の実施形態）
次に、本発明の第２の実施形態について説明する。第２の実施形態は、第１の実施形態と比較して、撮像装置１００の動作、特に、図４のステップＳ１１２で行われるオートパワーオフ実行判定処理が図９に示すものと異なる。その他は第１の実施形態と同様であるので、説明を省略し、以下、撮像装置１００の動作について説明する。
【０１４３】
＜撮像装置１００の動作説明＞
図１１は、本第２の実施形態における図４のステップＳ１１２で行われるオートパワーオフ実行判定処理の詳細なフローチャートを示す。なお、図９と同様の処理には、同じステップ番号を付し、適宜説明を省略する。
【０１４４】
第２の実施形態においては、ステップＳ４０３で通信フラグがＯＮであると判断されると、システム制御回路５０は、電波切れで画像処置装置３００との通信が切断した状態か否かを判断する（ステップＳ４１４）。撮像装置１００と画像処理装置３００との通信が継続した状態であったならば（ステップＳ４１４でＮＯ）、システム制御回路５０の内部メモリ或いはメモリ５２に記憶されたオートパワーオフ実行フラグをＯＦＦに設定する（ステップＳ４０７）。
【０１４５】
電波切れで画像処理装置３００との通信が切断した状態であったならば（ステップＳ４１４でＹＥＳ）、ステップＳ４０６に進む。ステップＳ４０６では、システム制御回路５０は、システム制御回路５０の内部メモリ或いはメモリ５２に記憶されたオートパワーオフ実行フラグをＯＮに設定する。
【０１４６】
ステップＳ４０６またはＳ４０７の処理後、オートパワーオフ実行判定ルーチン（ステップＳ１１２）を終了する。
【０１４７】
以上説明したように、本第２の実施形態によれば、撮像装置１００と画像処理装置３００の間で画像データの転送を行う際に、電波状態が悪いなどの理由により通信接続が切断されてしまったならばオートパワーオフ等の省電力機能を許可する。また、通信接続が確立していたならばオートパワーオフ等の省電力機能を禁止する。これにより、画像データの転送ができないにも関わらず、所定の時間経過するまでは省電力機能が実行されないために撮像装置１００の電池を浪費することを防止することができる。更に、画像データの転送中にオートパワーオフ等の省電力機能が実行されて画像データの転送が打ち切られることを防止することが可能となる。
【０１４８】
（第３の実施形態）
次に、本発明の第３の実施形態について説明する。第３の実施形態は、第１の実施形態と比較して、撮像装置１００の動作、特に、図４のステップＳ１１２で行われるオートパワーオフ実行判定処理が図９に示すものと異なる。その他は第１の実施形態と同様であるので、説明を省略し、以下、撮像装置１００の動作について説明する。
【０１４９】
＜撮像装置１００の動作説明＞
図１２は、本第３の実施形態における図４のステップＳ１１２で行われるオートパワーオフ実行判定処理の詳細なフローチャートを示す。なお、図９と同様の処理には、同じステップ番号を付し、適宜説明を省略する。
【０１５０】
第３の実施形態においては、ステップＳ４０３で通信フラグがＯＮであると判断されると、システム制御回路５０は、撮像装置１００と画像処理装置３００との間で通信を行う際の撮像装置１００の電波状態（電界強度状態）を判断する（ステップＳ４２４）。電波状態が所定の電界強度より悪かったならば、システム制御回路５０の内部メモリ或いはメモリ５２に記憶されたオートパワーオフ実行フラグをＯＦＦに設定する（ステップＳ４０７）。
【０１５１】
また、電波状態が所定の電界強度より良かったならば（ステップＳ４２４でＹＥＳ）、ステップＳ４０６に進む。ステップＳ４０６では、システム制御回路５０は、システム制御回路５０の内部メモリ或いはメモリ５２に記憶されたオートパワーオフ実行フラグをＯＮに設定する。
【０１５２】
ステップＳ４０６またはＳ４０７の処理後、オートパワーオフ実行判定ルーチン（ステップＳ１１２）を終了する。
【０１５３】
以上説明したように、本第３の実施形態によれば、撮像装置１００と画像処理装置３００の間で画像データの転送を行う際に、通信の電波状況に応じてオートパワーオフ等の省電力機能の許可／不許可を切り替える。通信の電波状況が悪いとデータ転送レートを低下させて通信を行う場合がある。そのような電波状況が悪いために画像データの転送時間が長くなって転送が終わらない状況であっても、電波状況が悪い場合に省電力機能の実施を禁止することによって、オートパワーオフ等の省電力機能が働いてしまうことを防止することが可能となる。
【０１５４】
（第４の実施形態）
次に、本発明の第４の実施形態について説明する。第４の実施形態も、第１の実施形態と比較して、撮像装置１００の動作、特に、図４のステップＳ１１２で行われるオートパワーオフ実行判定処理が図９に示すものと異なる。その他は第１の実施形態と同様であるので、説明を省略し、以下、撮像装置１００の動作について説明する。
【０１５５】
＜撮像装置１００の動作説明＞
図１３は、本第４の実施形態における図４のステップＳ１１２で行われるオートパワーオフ実行判定処理の詳細なフローチャートを示す。なお、図９と同様の処理には、同じステップ番号を付し、適宜説明を省略する。
【０１５６】
第４の実施形態においては、システム制御回路５０の内部メモリ或いはメモリ５２に記憶しているオートパワーオフ時間Ｍリセット後の経過時間を、システム制御回路５０内部或いは外部のタイマーから取得後（ステップＳ４０１）、ステップＳ４３１に進む。
【０１５７】
ステップＳ４３１では、システム制御回路５０は、システム制御回路５０の内部メモリ或いはメモリ５２に記憶された通信フラグの状態を判断する。そして、通信フラグがＯＦＦに設定されていればステップＳ４３６に進み、ＯＮに設定されていればステップＳ４３２に進む。
【０１５８】
ステップＳ４３２では、システム制御回路５０は、撮像装置１００と画像処理装置３００との間で通信を行う際の撮像装置１００の電波状態（電界強度状態）を判断する。電波状態が所定の電界強度より悪かったならば、ステップＳ４３４に進んで、オートパワーオフ時間Ｍリセット後からの経過時間を比較する時間を所定時間延長して、ステップＳ４３６に進む。
【０１５９】
また、電波状態が所定の電界強度より良かったならば（ステップＳ４３２でＹＥＳ）、ステップＳ４３５に進んで、オートパワーオフ時間Ｍリセット後からの経過時間を比較する時間を所定時間に戻して、ステップＳ４３６に進む。
【０１６０】
そして、取得したオートパワーオフ時間Ｍリセット後の経過時間からオートパワーオフ動作を実行すべき時間に到達しているか否かを判断する（ステップＳ４３６）。
【０１６１】
オートパワーオフ動作を実行すべき時間に到達していれば（ステップＳ４３６でＹＥＳ）、システム制御回路５０は、システム制御回路５０の内部メモリ或いはメモリ５２に記憶されたオートパワーオフ実行フラグをＯＮに設定する（ステップＳ４０６）。一方、オートパワーオフ動作を実行すべき時間に到達していないならば（ステップＳ４３６でＮＯ）、システム制御回路５０はその内部メモリ或いはメモリ５２に記憶されたオートパワーオフ実行フラグをＯＦＦに設定する（ステップＳ４０７）。
【０１６２】
ステップＳ４０６またはＳ４０７の処理後、オートパワーオフ実行判定ルーチン（ステップＳ１１２）を終了する。
【０１６３】
以上説明したように、本第４の実施形態によれば、撮像装置１００と画像処理装置３００の間で画像データの転送を行う際に、通信の電波状況に応じてオートパワーオフ時間Ｍリセット後の経過時間を比較する所定時間を変更する。通信の電波状況が悪いとデータ転送レートを低下させて通信を行う場合があるため、電波状況が悪い場合は省電力機能の実施までの待ち時間を延長し、電波状況が良い場合は省電力機能の実施までの待ち時間を短縮する。これにより、電波状況が悪いために画像データの転送時間が長くなって転送が終わらない場合に、途中で転送処理を打ち切ってしまうということを防止することが可能となる。
【０１６４】
なお、上記第１〜第４の実施形態に於いては、撮像装置１００の省電力モードを解除する、或いは設定を行うために、例えば、以下のような動作を行うようにしてもよい。撮像装置１００のCPU及び／或いは各ブロックの動作クロックを上げる或いは下げる、撮像装置１００の各部へ供給する電圧を上げる或いは下げる、撮像装置１００の各部へ供給する電流及び或いは電力を増やす或いは減らすことで設定／解除できる。
【０１６５】
また、撮像装置１００の任意のブロックに対して上記省電力モードの解除或いは設定を行うようにしても良い。
【０１６６】
（第５の実施形態）
次に、本発明の第５の実施形態について説明する。本第５の実施形態においては、動画／静止画の撮影を、モードを切り替えて実行する撮像装置を用いる。
【０１６７】
図１４は、本第５の実施形態におけるシステムの全体構成を示す図である。図１４に示すように、第１の実施形態で説明した図１の構成とは、撮像装置５００にも着脱可能な記録媒体２００へのＩ／Ｆが備えられているところが異なる。更に、モードダイアルスイッチ６０により切り替え設定できる内容が、上記第１の実施形態で説明した内容とは異なる。その他の構成は図１と同様であるため、同じ参照番号を付して説明を省略する。
【０１６８】
＜撮像装置５００の構成説明＞
図１５は、本第５の実施形態における撮像装置５００の構成を示すブロック図である。図１５に示すように、第１の実施形態で説明した図２の構成に加えて、記録媒体２００へのＩ／Ｆが備えられている。
【０１６９】
図１５において、９０はメモリカードやハードディスク等の記録媒体とのインタフェース、９２はメモリカードやハードディスク等の記録媒体と接続を行うコネクタである。９４はコネクタ９２に記録媒体２００が装着されているか否かを検知する記録媒体着脱検知回路である。
【０１７０】
なお、本第５の実施形態では、記録媒体を取り付けるインタフェース及びコネクタを１系統持つものとして説明しているが、記録媒体を取り付けるインタフェース及びコネクタは、単数或いは複数、いずれの系統数を備える構成としても構わない。また、異なる規格のインタフェース及びコネクタを組み合わせて備える構成としても構わない。
【０１７１】
インタフェース及びコネクタとしては、ＰＣＭＣＩＡ（Personal Computer Memory Card International Association）カードやＣＦ（コンパクトフラッシュ（登録商標））カード等の規格に準拠したものを用いて構成することが可能である。また、ＳＤ（セキュアデジタル）メモリーカード、ＭＭＣ（マルチメディアカード）を用いて構成しても構わない。インタフェース９０及びコネクタ９２をＰＣＭＣＩＡカードやＣＦ（登録商標）カード、ＳＤカード等の規格に準拠したものを用いて構成した場合、各種通信カードを接続することが可能になる。通信カードとしては、例えば、ＬＡＮカードやモデムカード、ＵＳ（Universal Serial Bus）２カード、ＩＥＥＥ（Institute of Electrical and Electronic Engineers）１３９４カード、Ｐ１２８４カード等がある。更に、例えば、ＳＣＳＩ（Small Computer System Interface）カード、ＰＨＳ等の通信カード等であってもよい。これら通信カードを接続することで、他のコンピュータやプリンタ等の周辺機器との間で画像データや画像データに付属した管理情報を転送し合うことができる。
【０１７３】
また本第５の実施形態におけるモードダイヤルスイッチ６０は、少なくとも動画を記録する動画記録モードと、静止画を撮影する静止画記録モードと、記録された動画または静止画を再生する再生モードとを含む。
【０１７４】
上記以外の構成は、図２と同様であるので同じ参照番号を付し、説明を省略する。
【０１７５】
＜撮像装置５００の動作説明＞
次に、図１６乃至図２２を参照して、第５の実施形態の上記構成を有する撮像装置５００の動作について説明する。
【０１７６】
図１６及び図１７は本第５の実施形態の撮像装置５００の主ルーチンのフローチャートを示す。
【０１７７】
図１６において、メインスイッチ７２によるＯＮ操作や電池交換等の電源投入により、システム制御回路５０はフラグや制御変数等を初期化すると共に、撮像装置５００各部の初期化処理を行う（ステップＳ１１０１）。
【０１７８】
次に、システム制御回路５０は、オートパワーオフモードフラグをＯＮ状態に設定して、システム制御回路５０の内部メモリ或いはメモリ５２に記憶する（ステップＳ１１０２）。更に、システム制御回路５０は、オートパワーオフ時間Ｍをリセットしてシステム制御回路５０の内部メモリ或いはメモリ５２に記憶し（ステップＳ１１０３）、ステップＳ１１０４に進む。
【０１７９】
ステップＳ１１０４では、システム制御回路５０はメインスイッチ７２の状態を確認する。電源ＯＦＦに設定されていたならば、各表示部の表示を終了状態に変更し、バリア１０２を閉じて撮像部を保護し、フラグや制御変数等を含む必要なパラメータや設定値、設定モードを不揮発性メモリ５６に記録する。更に、システム制御回路５０は、電源制御部８０により画像表示部２８を含む撮像装置５００各部の不要な電源を遮断する等の所定の終了処理を行った後（ステップＳ１１０５）、ステップＳ１１０４に戻る。
【０１８０】
一方、電源ＯＮに設定されていたならば、ステップＳ１１０６において、システム制御回路５０は、電源制御部８０により電池等により構成される電源８６の残容量や動作情況が撮像装置５００の動作に問題があるか否かを判断する。問題があるならば（ステップＳ１１０６でＮＯ）、通知部５４や画像表示部２８を用いて画像や音声により所定の警告を行った後に（ステップＳ１１０７）、上述したステップＳ１１０５の処理を行い、ステップＳ１１０４に戻る。
【０１８１】
一方、電源８６に問題が無いならば（ステップＳ１１０６でＹＥＳ）、システム制御回路５０は、システム制御回路５０の内部メモリ或いはメモリ５２に記憶されたオートパワーオフモードフラグの状態を判断する（ステップＳ１１０８）。オートパワーオフモードフラグがＯＦＦであればステップＳ１１１１に進む。
【０１８２】
一方、オートパワーオフモードフラグがＯＮであれば、ステップＳ１１０９に進む。ステップＳ１１０９では、システム制御回路５０は、システム制御回路５０の内部メモリ或いはメモリ５２に記憶したオートパワーオフ時間Ｍリセット後の経過時間を取得し、オートパワーオフ動作を実行すべきか否かを判定する。なお、ステップＳ１１０９で行われるオートパワーオフ実行判定処理の詳細は図２２を用いて後述する。
【０１８３】
次に、ステップＳ１１１０においてシステム制御回路５０は、オートパワーオフ実行フラグの状態を判断する。オートパワーオフ実行フラグがＯＮに設定されていたならば、上述したステップＳ１１０５の処理を行い、ステップＳ１１０４に戻り、オートパワーオフ実行フラグがＯＦＦに設定されていたならば、ステップＳ１１１１に進む。
【０１８４】
このように、本第５の実施形態では、オートパワーオフモードフラグがＯＦＦの場合、即ち、オートパワーオフモードが設定されていない場合には、ステップＳ１１０９及びＳ１１１０の処理を行わないため、オートパワー処理が実行されることが無い。
【０１８５】
ステップＳ１１１１において、システム制御回路５０は、通知部５４及び或いは画像表示部２８を用いて画像や音声により電池残容量やメモリ３０の状態を含む撮像装置５００の各種設定状態の表示を行い、図１７のステップＳ１１２１に進む。
【０１８６】
ステップＳ１１２１において、システム制御回路５０は、操作部７０に含まれる接続先の登録（ペアリング）ボタンが押されているかどうかを判断する。押されていれば、システム制御回路５０は、通信回路１１０、アンテナ１１２、アンテナ３３２、通信回路３３０を介して、画像処理装置３００との間で接続先の登録処理を実行し（ステップＳ１１２２）、押されていないならばステップＳ１１２３に進む。
【０１８７】
接続先の登録処理（ステップＳ１１２２）においては、撮像装置５００が画像処理装置３００等の無線機能を備える機器と無線接続するために必要な接続相手の無線パラメータを事前に取得する。そして、取得した無線パラメータを撮像装置５００内部のシステム制御回路５０の内部メモリ及び或いはメモリ５２及び或いは不揮発性メモリ５６に記憶する。無線パラメータの取得に際しては、記録媒体２００を介して情報のやりとりをすることが可能である。また、ＵＳＢ等の有線インターフェースにより、撮像装置５００と画像処理装置３００をケーブルを用いて接続し、無線パラメータの取得のやりとりを行うことも可能である。記憶した無線パラメータは、撮像装置５００が、画像処理装置３００等の無線機能を備える機器と無線接続を行う場合に使用する。接続先の登録処理を終えたならば、ステップＳ１１０４に戻る。
【０１８８】
ステップＳ１１２３において、システム制御回路５０は、無線接続を開始するために、操作部７０に含まれる通信開始ボタンが押されているか否かを判断する。押されていればステップＳ１１２９に進み、押されていなければ、ステップＳ１１２４に進んでシステム制御回路５０は、オートパワーオフモードフラグを設定してシステム制御回路５０の内部メモリ或いはメモリ５２に記憶する。そして、無線接続を行わずに撮像装置５００の各種動作を実行する（ステップＳ１１２５）。なお、ステップＳ１１２５で行う処理は、従来の撮像装置で行われる処理と同様であるため、ここでは説明を省略する。各種動作を終了すると、ステップＳ１１０４に戻る。
【０１８９】
一方、ステップＳ１１２９において、システム制御回路５０は、モードダイアルスイッチ６０の設定状態を判断する。動画撮影モードに設定されていたならば、システム制御回路５０は、通知部５４及び或いは画像表示部２８を用いて画像や音声により所定の警告を行い（ステップＳ１１３０）、ステップＳ１１０４に戻る。この処理は、以下の理由による。即ち、通信回路１１０、アンテナ１１２、アンテナ３３２、通信回路３３０を介して撮像装置５００から画像処理装置３００に撮影中の動画を無線伝送するには伝送レートが不足することがある。従って、動画撮影モードで無線接続を行おうとした時に所定の警告を行う。このように制御することにより、動画転送できないにも関わらず撮像装置５００の使用者が誤って動画モードで無線接続を行い、動画撮影を行うことを防止することができる。これにより、フレーム落ちしたり、途中で打ち切られたり、或いは一時停止したりする不完全な動画データの転送を行うことを防止することができる。
【０１９０】
一方、モードダイヤルスイッチ６０が静止画撮影モード或いは再生モードに設定されていたならば（ステップＳ１１２９でＮＯ）、以下の動作を行う。即ち、システム制御回路５０は、通信回路１１０、アンテナ１１２、アンテナ３３２、通信回路３３０を介して、画像処理装置３００との間の通信状態を確立するための接続確立処理を行う（ステップＳ１１３１）。接続確立処理を実行した結果、撮像装置５００と画像処理装置３００との間で通信が確立しなかったならば（ステップＳ１１３２でＮＯ）、ステップＳ１１３３に進む。そして、システム制御回路５０は、通知部５４及び或いは画像表示部２８を用いて画像や音声により所定の警告を行った後、ステップＳ１１４２に進む。
【０１９１】
接続確立処理を実行した結果、撮像装置５００と画像処理装置３００との間で通信が確立したならば（ステップＳ１１３２でＹＥＳ）、システム制御回路５０は、モードダイアルスイッチ６０の設定状態を判断する（ステップＳ１１３４）。
【０１９２】
モードダイアルスイッチ６０が静止画撮影モードに設定されていたならば、通信回路１１０、アンテナ１１２、アンテナ３３２、通信回路３３０を介して、画像処理装置３００に動作モードが静止画撮影モードであることを通知する。そして、撮影同時転送処理（ステップＳ１１３６）を実行する。なお、この撮影同時転送処理（ステップＳ１１３６）の詳細は、図１８及び図１９を用いて後述する。
【０１９３】
撮影同時転送処理を終えたならば、ステップＳ１１４２に進む。
【０１９４】
一方、モードダイアルスイッチ６０が再生モードに設定されていたならば（ステップＳ１１３４でＮＯ）、システム制御回路５０は、オートパワーオフモードフラグをＯＮに設定して内部メモリ或いはメモリ５２に記憶する（ステップＳ１１３７）。更に、通信回路１１０、アンテナ１１２、アンテナ３３２、通信回路３３０を介して、画像処理装置３００に動作モードが再生モードであることを通知し、画像処理装置３００にPC制御モードの問い合わせを行う（ステップＳ１１３８）。
【０１９５】
問い合わせの結果、画像処理装置３００において、PCダイレクト転送モード（DT）が選択されていたならば（ステップＳ１１３９でＤＴ）、システム制御回路５０は、PCダイレクト転送処理（ステップＳ１１４０）を実行する。なお、このPCダイレクト転送処理（ステップＳ１１４０）の詳細は、図２０を用いて後述する。
【０１９６】
PCダイレクト転送処理を終えたならば、ステップＳ１１４２に進む。
【０１９７】
ステップＳ１１３８の問い合わせの結果、画像処理装置３００において、リモートキャプチャーモード（RC）が選択されていたならば（ステップＳ１１３９でＲＣ）、システム制御回路５０は、リモートキャプチャー処理（ステップＳ１１４１）を実行する。なお、このリモートキャプチャー処理（ステップＳ１１４１）の詳細は、図２１を用いて後述する。
【０１９８】
リモートキャプチャー処理を終えたならば、ステップＳ１１４２に進む。
【０１９９】
ステップＳ１１４２において、システム制御回路５０は、無線接続を切断するために、操作部７０に含まれる通信終了ボタンが押されているか否かを判断する。通信終了ボタンが押されていなければ、ステップＳ１１０４に戻る。
【０２００】
通信終了ボタンが押されていたならば、システム制御回路５０は、通信回路１１０、アンテナ１１２、アンテナ３３２、通信回路３３０を介して、画像処理装置３００との間の無線を切断する処理を行う（ステップＳ１１４３）。そして、システム制御回路５０は、オートパワーオフモードフラグを設定してシステム制御回路５０の内部メモリ或いはメモリ５２に記憶し（ステップＳ１１４４）、ステップＳ１１０４に戻る。
【０２０１】
図１８及び図１９は、図１７のステップＳ１１３６における撮影同時転送処理の詳細を示すフローチャートである。
【０２０２】
ステップＳ１２０１において、システム制御回路５０は、通信回路１１０、アンテナ１１２、アンテナ３３２、通信回路３３０を介して、画像処理装置３００との間の通信状態を確認する。電波の状態が悪くなったり、操作部７０に含まれる通信終了ボタンの押下などの理由により確立していた接続が切断され、画像処理装置３００との無線接続がされていなかったならば、ステップＳ１２０２に進む。そして、システム制御回路５０は、通知部５４及び／或いは画像表示部２８を用いて画像や音声により所定の警告を行ってから、図１９のステップＳ１２３５へ進む。
【０２０３】
画像処理装置３００との無線接続がされていればステップＳ１２０３に進み、シャッタースイッチＳＷ１の状態を確認する。シャッタースイッチＳＷ１が押されていなければ、図１９のステップＳ１２３５へ進む。
【０２０４】
シャッタースイッチＳＷ１が押されたならば（ステップＳ１２０３でＯＮ）、システム制御回路５０は、オートパワーオフ時間Ｍをリセットしてシステム制御回路５０の内部メモリ或いはメモリ５２に記憶する（ステップＳ１２０４）。
【０２０５】
システム制御回路５０は、測距処理を行って撮影レンズ１０の焦点を被写体に合わせ、測光処理を行って絞り値及びシャッタ時間を決定し、ホワイトバランス処理を行って色温度を合わせる（ステップＳ１２０８）。測光の結果、必要であればフラッシュの設定も行う。なお、この測距・測光処理では、システム制御回路５０の内部メモリ或いはメモリ５２に記憶された撮影開始フラグ及び／或いはＡＥロックフラグ及び／或いはホワイトバランスモード設定フラグを確認する。そして、その状態に応じて、ＡＥ制御及び／或いはＡＷＢ制御の実行の可否を判断し、判断結果に応じて各々の処理を行う。なお、ここで行われる測距・測光処理は、図７に示す処理と同様であるので、ここでは説明を省略する。
【０２０６】
測距・測光処理（ステップＳ１２０８）を終えたならば、システム制御回路５０は、システム制御回路５０の内部メモリ或いはメモリ５２に記憶されたフラッシュフラグの状態を判断する（ステップＳ１２０９）。フラッシュフラグが設定されていたならば、フラッシュ４８の充電を行い（ステップＳ１２１０）、ステップＳ１２１１に進む。フラッシュフラグが解除されていたならば、直接ステップＳ１２１１に進む。
【０２０７】
システム制御回路５０は、シャッタースイッチＳＷ２が押されずに（ステップＳ１２１１でＯＦＦ）、更にシャッタースイッチＳＷ１も解除されたならば（ステップＳ１２１２でＯＦＦ）、図１９のステップＳ１２３５へ進む。シャッタースイッチＳＷ１が押されたままであったならば（ステップＳ１２１２でＯＮ）、オートパワーオフ時間Ｍをリセットしてシステム制御回路５０の内部メモリ或いはメモリ５２に記憶し（ステップＳ１２１３）、再びステップＳ１２１１に戻る。
【０２０８】
シャッタースイッチＳＷ２が押されたならば（ステップＳ１２１１でＯＮ）、オートパワーオフ時間Ｍをリセットしてシステム制御回路５０の内部メモリ或いはメモリ５２に記憶し（ステップＳ１２１４）、図１９のステップＳ１２２１に進む。
【０２０９】
ステップＳ１２２１において、システム制御回路５０は撮影処理を実行する。この撮影処理では、撮像素子１４、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む。なお、ここで行われる撮影処理は、図８に示す処理と同様であるので、ここでは説明を省略する。
【０２１０】
次に、システム制御回路５０は、メモリ制御回路２２そして必要に応じて画像処理回路２０を用いて、メモリ３０に書き込まれた画像データを読み出して各種処理を行う現像処理を実行する（ステップＳ１２２２）。更に、必要に応じて、圧縮・伸長回路３２を用いて設定したモードに応じた画像圧縮処理を行った後（ステップＳ１２２３）、画像表示部２８によりステップＳ１２２２で現像処理を行った撮影画像のレビュー表示を行う（ステップＳ１２２４）。そして、メモリ３０に確保したバッファ領域に、現像処理、圧縮処理等の所定の処理を行った画像データを記憶して（ステップＳ１２２５）、ステップＳ１２２６に進む。
【０２１１】
ステップＳ１２２６では、オートパワーオフモードフラグをＯＦＦに設定してシステム制御回路５０の内部メモリ或いはメモリ５２に記憶し、ステップＳ１２２７に進む。
【０２１２】
ステップＳ１２２７において、システム制御回路５０は、記録媒体２００が装着されているかどうかの判断を行い、記録媒体２００に記録された画像データの管理情報を取得する。そして、記録媒体２００の動作状態が撮像装置５００の動作、特に記録媒体に対する画像データの記録再生動作に問題があるか否かの判断を行う。判断の結果、問題があるならば（ステップＳ１２２７でＮＯ）、ステップＳ１２３１に進む。
【０２１３】
一方、記録媒体２００の動作状態に問題が無いならば（ステップＳ１２２７でＹＥＳ）、システム制御回路５０は、バッファ領域に記憶した画像データをインターフェース９０、コネクタ９２を介して記録媒体２００に記録する（ステップＳ１２２８）。ステップＳ１２２９で、記録処理が正常に終了し、画像データが記録媒体２００に記録されたことを確認すると、ステップＳ１２３０においてオートパワーモードフラグをＯＮに設定してから、ステップＳ１２３１に進む。一方、記録処理に失敗した場合には、そのままステップＳ１２３１に進む。
【０２１４】
ステップＳ１２３１において、システム制御回路５０は、メモリ３０に確保したバッファ領域から通信回路１１０、アンテナ１１２を介して画像処理装置３００に向けて画像データの転送を開始する。
【０２１５】
次に、システム制御回路５０は、シャッタースイッチＳＷ１の状態を確認する（ステップＳ１２３２）。シャッタースイッチＳＷ１が押されていたならば、オートパワーオフ時間Ｍをリセットしてシステム制御回路５０の内部メモリ或いはメモリ５２に記憶し（ステップＳ１２３３）、ステップＳ１２０１に戻る。
【０２１６】
また、シャッタースイッチＳＷ１が押されていないならば、ステップＳ１２３５において、画像データをまだ転送中であるかどうかを判断する。転送中であればそのまま、転送中でなければ、オートパワーオフモードフラグをＯＮに設定してから、撮影同時転送処理ルーチン（ステップＳ１１３６）を抜ける。
【０２１７】
以上のように、撮像装置５００により撮影した画像データを記録媒体２００に記録すると共に画像処理装置３００に転送する場合に、画像データを記録媒体２００に記録可能と判断したならば、オートパワーオフ等の省電力機能の実行を許可する。そして、その状態で、画像データを記録した後にオートパワーオフ等の省電力機能を実行可能とすることにより、撮像装置５００の電池駆動時間を延ばすことができる。また、例え画像データの転送中に途中で転送処理が打ち切られてしまっても、撮影した画像データが消失してしまうことを防止することが可能となる。
【０２１８】
一方、撮像装置５００により撮影した画像データを記録媒体２００に記録すると共に画像処理装置３００に転送する場合に、画像データを記録媒体２００に記録不可能と判断したならば、オートパワーオフ等の省電力機能の実行を禁止する。そして、その状態で画像データの転送を行うことにより、画像データの転送中に途中でオートパワーオフ等の省電力機能の実行のために転送処理を打ち切って撮影した画像データが消失してしまうことを防止することが可能となる。
【０２１９】
なお、上記処理によれば、例えば、以下のような撮影した画像データの消失を防止するための一連の動作を連続的に実行することが可能となる。まず、撮像装置５００が撮影した画像データを記録媒体２００に記録しつつ画像処理装置３００に転送している撮影同時転送処理状態においてはオートパワーオフ処理を実行可能として電池駆動時間を延ばす。画像データの記録媒体２００への記録途中で記録媒体２００が満杯になってしまった後は、画像処理装置３００への画像データ転送中のオートパワーオフ処理の実行を禁止する。
【０２２０】
図２０は、図１７のステップＳ１１４０におけるPCダイレクト転送処理の詳細なフローチャートを示す。
【０２２１】
ステップＳ１７１において、システム制御回路５０は、通信回路１１０、アンテナ１１２、アンテナ３３２、通信回路３３０を介して、画像処理装置３００との間の通信状態を確認する。電波の状態が悪くなったり、操作部７０に含まれる通信終了ボタンの押下などの理由により確立していた接続が切断され、画像処理装置３００との無線接続がされていなかったならば、ステップＳ１７２に進む。そして、システム制御回路５０は、通知部５４及び／或いは画像表示部２８を用いて画像や音声により所定の警告を行ってから、PCダイレクト転送処理ルーチン（ステップＳ１１４０）を終了する。
【０２２２】
画像処理装置３００との無線接続がされているならば、ステップＳ１７３に進む。
【０２２３】
ステップＳ１７３において、システム制御回路５０は、記録媒体２００及び／或いはメモリ３０に確保したバッファ領域に、撮像装置５００から画像処理装置３００に向けて転送する画像データ等のファイルが有るかどうかを判断する。転送する画像データ等のファイルが無いならば、PCダイレクト転送処理ルーチン（ステップＳ１１４０）を終了する。一方、転送する画像データ等のファイルがあるならば、ステップＳ１７４に進む。
【０２２４】
ステップＳ１７４において、システム制御回路５０は、記録媒体２００及び／或いは、メモリ３０に確保したバッファ領域から画像処理装置３００に向けて転送すべき画像データ等のファイルの転送を行う。このとき、記録媒体２００からであれば、コネクタ９２、インターフェース９０、通信回路１１０、アンテナ１１２を介して、また、メモリ３０のバッファ領域からであれば通信回路１１０、アンテナ１１２を介して、ファイルの転送を開始する。そして、PCダイレクト転送処理ルーチン（ステップＳ１１４０）を抜けて、ステップＳ１１４２に戻る。
【０２２５】
図２１は、図１７のステップＳ１１４１におけるリモートキャプチャー処理の詳細なフローチャートを示す。
【０２２６】
ステップＳ１８１において、システム制御回路５０は、通信回路１１０、アンテナ１１２、アンテナ３３２、通信回路３３０を介して、画像処理装置３００との間の通信状態を確認する。電波の状態が悪くなったり、操作部７０に含まれる通信終了ボタンの押下などの理由により確立していた接続が切断され、画像処理装置３００との無線接続がされていなかったならば、ステップＳ１８２に進む。そして、システム制御回路５０は、通知部５４及び／或いは画像表示部２８を用いて画像や音声により所定の警告を行ってから、リモートキャプチャー処理ルーチン（ステップＳ１１４１）を終了する。
【０２２７】
画像処理装置３００との無線接続がされていればステップＳ１８３に進み、システム制御回路５０は、通信回路３３０、アンテナ３３２、アンテナ１１２、通信回路１１０を介して、画像処理装置３００からコマンドを受信したかどうかを判断する。
【０２２８】
画像処理装置３００からコマンドを受信していなかったならば（ステップＳ１８３でＮＯ）、ステップＳ１９５に進む。画像処理装置３００からコマンドを受信したならば（ステップＳ１８３でＹＥＳ）、システム制御回路５０はコマンドの内容を判断する。受信したコマンドが撮影に関するコマンド以外であったならば（ステップＳ１８４でＮＯ）、システム制御回路５０は、コマンドに応じた処理を実行し（ステップＳ１８５）、ステップＳ１９５に進む。一方、受信したコマンドが撮影コマンドであったならば（ステップＳ１８４でＹＥＳ）、ステップＳ１８６に進む。
【０２２９】
システム制御回路５０は、測距処理を行って撮影レンズ１０の焦点を被写体に合わせ、測光処理を行って絞り値及びシャッタ時間を決定し、ホワイトバランス処理を行って色温度を合わせる（ステップＳ１８６）。測光の結果、必要であればフラッシュの設定も行う。なお、この測距・測光処理では、システム制御回路５０の内部メモリ或いはメモリ５２に記憶された撮影開始フラグ及び／或いはＡＥロックフラグ及び／或いはホワイトバランスモード設定フラグを確認する。そして、その状態に応じて、ＡＥ制御及び／或いはＡＷＢ制御の実行の可否を判断し、判断結果に応じて各々の処理を行う。なお、ここで行われる測距・測光処理は、図７に示す処理と同様であるので、ここでは説明を省略する。
【０２３０】
測距・測光処理（ステップＳ１８６）を終えたならば、システム制御回路５０は、撮影処理を実行する（ステップＳ１８７）。この撮影処理では、撮像素子１４、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む。なお、ここで行われる撮影処理は、図８に示す処理と同様であるので、ここでは説明を省略する。
【０２３１】
次に、システム制御回路５０は、メモリ制御回路２２そして必要に応じて画像処理回路２０を用いて、メモリ３０に書き込まれた画像データを読み出して各種処理を行う現像処理を実行する（ステップＳ１８８）。更に、必要に応じて、圧縮・伸長回路３２を用いて設定したモードに応じた画像圧縮処理を行った後（ステップＳ１８９）、ステップＳ１９０に進む。
【０２３２】
ステップＳ１９０において、システム制御回路５０は、メモリ３０に確保したバッファ領域に、現像処理及び圧縮処理等の所定の処理を行った画像データを記憶して、ステップＳ１９１に進む。
【０２３３】
ステップＳ１９１では、システム制御回路５０は、記録媒体２００が装着されているかどうかの判断を行い、記録媒体２００に記録された画像データの管理情報の取得する。そして、記録媒体２００の動作状態が撮像装置５００の動作、特に記録媒体に対する画像データの記録再生動作に問題があるか否かの判断を行う。問題があるならば、直接ステップＳ１９３に進む。問題が無いならば、メモリ３０に確保したバッファ領域からインターフェース９０、コネクタ９２を介して記録媒体２００に対して画像データの記録を開始し（ステップＳ１９２）、ステップＳ１９３に進む。
【０２３４】
ステップＳ１９３では、システム制御回路５０は、メモリ３０に確保したバッファ領域から通信回路１１０、アンテナ１１２を介して画像処理装置３００に向けて撮影してバッファに記憶した画像データの転送を行う。画像処理装置３００への画像転送が確実に終了したならば（ステップＳ１９４でＹＥＳ）、ステップＳ１９５に進む。
【０２３５】
システム制御回路５０は、撮像装置５００側の都合でリモートキャプチャー処理を中断する必要が発生した場合は（ステップＳ１９５でＹＥＳ）、リモートキャプチャー処理ルーチン（ステップＳ１１４１）を終了する。
【０２３６】
撮像装置５００側の都合でリモートキャプチャー処理を中断する必要が発生していないならば（ステップＳ１９５でＮＯ）、ステップＳ１８１に戻り、無線接続中であればステップＳ１８３において画像処理装置３００から新たなコマンドによる指示を待つ。
【０２３７】
図２２は、図１６のステップＳ１１０９におけるオートパワーオフ実行判定処理の詳細なフローチャートを示す。
【０２３８】
システム制御回路５０は、システム制御回路５０の内部メモリ或いはメモリ５２に記憶しているオートパワーオフ時間M設定後の経過時間をシステム制御回路50内部或いは外部のタイマーから取得する（ステップS１５０１）。そして、取得したオートパワーオフ時間M設定後の経過時間からオートパワーオフ動作を実行すべき時間に到達しているか否かを判断する（ステップＳ１５０２）。
【０２３９】
オートパワーオフ動作を実行すべき時間に到達していないならば（ステップＳ１５０２）、システム制御回路５０は、システム制御回路５０の内部メモリ或いはメモリ５２に記憶されたオートパワーオフ実行フラグを解除する（ステップＳ１５０４）。これにより、オートパワーオフ実行判定ルーチン（ステップＳ１１０９）を終了する。
【０２４０】
一方、オートパワーオフ動作を実行すべき時間に到達していたならば（ステップＳ１５０２）、システム制御回路５０は、システム制御回路５０の内部メモリ或いはメモリ５２に記憶されたオートパワーオフ実行フラグを設定する（ステップＳ１５０３）そして、オートパワーオフ実行判定ルーチン（ステップＳ１１０９）を終了する。
【０２４１】
＜画像処理装置３００の動作説明＞
次に、図２３を参照して、第５の実施形態における画像処理装置３００の動作を説明する。
【０２４２】
図２３において、電池交換等の電源投入により、システム制御回路３５０はフラグや制御変数等を初期化すると共に、画像処理装置３００各部の初期化処理を行う（ステップＳ２００１）。
【０２４３】
次に、システム制御回路３５０は、操作部３６２に含まれる電源スイッチの状態を確認する（ステップＳ２００２）。そして、電源OFFに設定されていたならば、システム制御回路３５０は、各表示部の表示を終了状態に変更し、フラグや制御変数等を含む必要なパラメータや設定値、設定モードを不揮発性メモリ３５４に記録する。システム制御回路３５０は、電源制御部３８０により画像表示部３２４を含む画像処理装置３００各部の不要な電源を遮断する等の所定の終了処理を行った後（ステップＳ２００３）、ステップＳ２００２に戻る。ステップＳ２００２で電源ONに設定されていたならば、ステップＳ２００４に進む。
【０２４４】
ステップＳ２００４において、システム制御回路５０は、電源制御部３８０により電池等により構成される電源３８６の残容量や動作情況が画像処理装置３００の動作に問題があるか否かを判断する。問題があるならば（ステップＳ２００４でＮＯ）、通知部３６０及び或いは画像表示部３２４を用いて画像や音声により所定の警告を行った後に（ステップＳ２００５）、上述したステップＳ２００３の処理を行い、ステップＳ２００２に戻る。
【０２４５】
一方、電源３８６に問題が無いならば（ステップＳ２００４でＹＥＳ）、ステップＳ２００６に進む。そして、システム制御回路３５０は、通知部３６０及び或いは画像表示部３２４を用いて画像や音声により電池残容量やメモリ３２０の状態を含む画像処理装置３００の各種設定状態の表示を行った後、ステップＳ２００７に進む。
【０２４６】
システム制御回路３５０は、操作部３６２に含まれる接続先の登録（ペアリング）ボタンが押されているかどうかを判断する（ステップＳ２００７）。接続先の登録（ペアリング）ボタンが押されていたならば、システム制御回路３５０は、通信回路３３０、アンテナ３３２、アンテナ１１２、通信回路１１０を介して、撮像装置５００との間で、接続先の登録処理を実行する（ステップＳ２００８）。
【０２４７】
ステップＳ２００８においては、画像処理装置３００が撮像装置５００等の無線機能を備える機器と無線接続するために必要な接続相手の無線パラメータを事前に取得する。そして、画像処置装置３００内部のシステム制御回路３５０の内部メモリ及び或いはメモリ３５２及び或いは不揮発性メモリ３５４に記憶する。無線パラメータの取得に際しては、記録媒体２００を介して情報のやりとりをすることが可能である。また、不図示のＵＳＢ等の有線インターフェースにより、画像処理装置３００と撮像装置５００をケーブルを用いて接続し、無線パラメータの取得のやりとりを行うことも可能である。記憶した無線パラメータは、画像処理装置３００が撮像装置５００等の無線機能を備える機器と無線接続を行う場合に使用する。
【０２４８】
接続先の登録処理を終えたならば、ステップＳ２００２に戻る。
【０２４９】
一方、接続先の登録（ペアリング）ボタンが押されていないならば（ステップＳ２００７でＮＯ）、ステップＳ２００９に進む。ステップＳ２００９では、システム制御回路３５０は、無線接続を開始するために、操作部３６２に含まれる通信開始ボタンが押されているか否かを判断する。通信開始ボタンが押されていないならば、ステップＳ２００２に戻る。
【０２５０】
通信開始ボタンが押されていたならば、システム制御回路３５０は、通信回路３３０、アンテナ３３２、アンテナ１１２、通信回路１１０を介して、撮像装置５００との間の通信状態を確立するための接続確立処理を行う（ステップＳ２０１０）。撮像装置５００との通信が確立しなかったならば（ステップＳ２０１１でＮＯ）、システム制御回路３５０は、通知部３６０及び或いは画像表示部３２４を用いて画像や音声により所定の警告を行い（ステップＳ２０１２）、ステップＳ２０２０に進む。
【０２５１】
一方、撮像装置５００との通信が確立したならば（ステップＳ２０１１でＹＥＳ）、システム制御回路３５０は、通信回路１１０、アンテナ１１２、アンテナ３３２、通信回路３３０を介して、撮像装置５００の動作モードを受信する（ステップＳ２０１３）。
【０２５２】
ステップＳ２０１４において、受信した撮像装置５００の動作モードが静止画撮影モードであったならば、システム制御回路３５０は、撮影同時受信処理（ステップＳ２０１５）を実行する。なお、ステップＳ２０１５で行われる撮影同時受信処理の詳細は、図２４を用いて後述する。撮影同時受信処理を終えたならば、ステップＳ２０２０に進む。
【０２５３】
一方、ステップＳ２０１４において、受信した撮像装置５００の動作モードが再生モードであったならば、ステップＳ２０１６に進む。ステップＳ２０１６において、システム制御回路３５０は、通知部３６０により撮像装置５００を操作するための表示（カメラウィンドウ）を行い、操作部３６２により撮像装置５００を制御する制御モードの選択を受け付ける。
【０２５４】
そして、ステップＳ２０１７において、操作部３６２により入力された制御モードが「PCダイレクト転送モード(DT)」であったならば、システム制御回路３５０は、PCダイレクト受信処理（ステップＳ２０１８）を実行する。このステップＳ２０１８におけるPCダイレクト受信処理の詳細は、図２５を用いて後述する。PCダイレクト受信処理を終えたならば、ステップＳ２０２０に進む。
【０２５５】
一方、操作部３６２により入力された制御モードが「リモートキャプチャーモード(RC)」であったならば、システム制御回路３５０は、リモートキャプチャー制御処理（ステップＳ２０１９）を実行する。このステップＳ２０１９におけるリモートキャプチャー制御処理の詳細は、図２６を用いて後述する。リモートキャプチャー制御処理を終えたならば、ステップＳ２０２０に進む。
【０２５６】
ステップＳ２０２０において、システム制御回路３５０は、無線接続を切断するために、操作部３６２に含まれる通信終了ボタンが押されているか否かを判断する。通信終了ボタンが押されていないならば、ステップＳ２００２に戻る。通信終了ボタンが押されていたならば、システム制御回路３５０は、通信回路３３０、アンテナ３３２、アンテナ１１２、通信回路１１０を介して、撮像装置５００との間の無線を切断する処理を行い（ステップＳ２０２１）、ステップ２００２に戻る。
【０２５７】
図２４は、図２３のステップＳ２０１５における撮影同時受信処理の詳細なフローチャートを示す。
【０２５８】
まず、システム制御回路３５０は、通信回路３３０、アンテナ３３２、アンテナ１１２、通信回路１１０を介して、撮像装置５００との間の通信状態を確認する（ステップＳ２１０１）。撮像装置５００との無線接続がされていなかったならば、システム制御回路３５０は、通知部３６０及び或いは画像表示部３２４を用いて画像や音声により所定の警告を行う（ステップＳ２１０２）。そして、撮影同時受信処理ルーチン（ステップＳ２０１５）を終了する。一方、撮像装置５００との無線接続がされているならば（ステップＳ２１０１でＹＥＳ）、ステップＳ２１０３に進む。
【０２５９】
ステップＳ２１０３では、システム制御回路３５０は、通信回路１１０、アンテナ１１２、アンテナ３３２、通信回路３３０を介して、撮像装置５００から画像処置装置３００に画像が送信されるかどうかを判断する。受信する画像が無いならば（ステップＳ２１０３でＮＯ）、撮影同時受信処理ルーチン（ステップＳ２０１５）を終了する。
【０２６０】
受信する画像があるならば（ステップＳ２１０３でＹＥＳ）、システム制御回路３５０は、通信回路１１０、アンテナ１１２、アンテナ３３２、通信回路３３０を介して、撮像装置５００から画像を受信してメモリ３２０に保存する（ステップＳ２１０４）。撮像装置５００からの画像受信が終了したならば（ステップＳ２１０５でＹＥＳ）、ステップＳ２１０６に進む。そして、システム制御回路３５０は、メモリ３２０に記憶した撮像装置５００から受信した画像を、インターフェース３９０、コネクタ３９２を介して、記録媒体２００に記録し、記録を終えたならば、撮影同時受信処理ルーチン（ステップＳ２０１５）を終了する。
【０２６１】
次に、図２３のステップＳ２０１８で行われるPCダイレクト受信処理の詳細について、図２５のフローチャートを参照して説明する。
【０２６２】
まず、システム制御回路３５０は、通信回路３３０、アンテナ３３２、アンテナ１１２、通信回路１１０を介して、撮像装置５００との間の通信状態を確認する（ステップＳ２２０１）。撮像装置５００との無線接続がされていなかったならば、システム制御回路３５０は、通知部３６０及び或いは画像表示部３２４を用いて画像や音声により所定の警告を行う（ステップＳ２２０２）。そして、PCダイレクト受信処理（ステップＳ２０１８）を終了する。一方、撮像装置５００との無線接続がされているならば、ステップＳ２２０３に進む。
【０２６３】
ステップＳ２２０３では、システム制御回路３５０は、通信回路１１０、アンテナ１１２、アンテナ３３２、通信回路３３０を介して、撮像装置５００から画像処置装置３００に画像データ等のファイルが送信されるかどうかを判断する。受信する画像データ等のファイルが無いならば（ステップＳ２１０３でＮＯ）、PCダイレクト受信処理ルーチン（ステップＳ２０１８）を終了する。
【０２６４】
受信する画像データ等のファイルがあるならば（ステップＳ２２０３でＹＥＳ）、ステップＳ２２０４に進む。ステップＳ２２０４において、システム制御回路３５０は、通信回路１１０、アンテナ１１２、アンテナ３３２、通信回路３３０を介して、撮像装置５００から画像データ等のファイルを受信してメモリ３２０に保存する。撮像装置５００からの画像データ等のファイル受信が終了したならば（ステップＳ２２０５でＹＥＳ）、ステップＳ２２０６に進む。ステップＳ２２０６において、システム制御回路３５０は、メモリ３２０に記憶した撮像装置５００から受信した画像データ等のファイルを、インターフェース３９０、コネクタ３９２を介して、記録媒体２００に記録する。記録を終えたならば、PCダイレクト受信処理ルーチン（ステップＳ２０１８）を終了する。
【０２６５】
次に、図２３のステップＳ２０１９で行われるリモートキャプチャー制御処理の詳細について、図２６のフローチャートを参照して説明する。
【０２６６】
まず、システム制御回路３５０は、通信回路３３０、アンテナ３３２、アンテナ１１２、通信回路１１０を介して、撮像装置５００との間の通信状態を確認する（ステップＳ２３０１）。撮像装置５００との無線接続がされていなかったならば、システム制御回路３５０は、通知部３６０及び或いは画像表示部３２４を用いて画像や音声により所定の警告を行う（ステップＳ２３０２）。そして、リモートキャプチャー制御処理（ステップＳ２０１９）を終了する。一方、撮像装置５００との無線接続がされているならば、ステップＳ２３０３に進む。
【０２６７】
ステップＳ２３０３では、システム制御回路３５０は、通知部３６０により撮像装置５００を操作するための表示（カメラウィンドウ）を行い、操作部３６２により撮像装置５００でリモートキャプチャー撮影を実行する指示が入力されたか否かを判断する。リモートキャプチャー撮影を実行する指示が入力されていなければ、ステップＳ２３１０に進む。
【０２６８】
リモートキャプチャー撮影を行う指示が入力されたならば、通信回路３３０、アンテナ３３２、アンテナ１１２、通信回路１１０を介して、撮像装置５００に撮影コマンドを送信して（ステップＳ２３０４）、ステップＳ２３０５に進む。
【０２６９】
ステップＳ２３０５では、システム制御回路３５０は、通信回路１１０、アンテナ１１２、アンテナ３３２、通信回路３３０を介して、撮像装置５００から画像処置装置３００に画像が送信されるかどうかを判断する。受信する画像が無いならば（ステップＳ２３０５でＮＯ）、ステップＳ２３１０に進む。
【０２７０】
受信する画像があるならば（ステップＳ２３０５でＹＥＳ）、システム制御回路３５０は、通信回路１１０、アンテナ１１２、アンテナ３３２、通信回路３３０を介して、撮像装置５００から画像を受信してメモリ３２０に保存する（ステップＳ２３０６）。撮像装置５００からの画像受信が終了したならば（ステップＳ２３０７でＹＥＳ）、システム制御回路３５０は、メモリ３２０に記憶した撮像装置５００から受信した画像を、画像表示部３２４に表示する（ステップＳ２３０８）。
【０２７１】
更に、システム制御回路３５０は、メモリ３２０に記憶した撮像装置５００から受信した画像を、インターフェース３９０、コネクタ３９２を介して、記録媒体２００に記録し（ステップＳ２３０９）、記録を終えたならば、ステップＳ２３１０に進む。
【０２７２】
ステップＳ２３１０では、システム制御回路３５０は、操作部３６２によりリモートキャプチャー処理を終了する指示が入力されたかどうかを判断する。入力されていなければステップＳ２３０１に戻り、入力されたならば、リモートキャプチャー制御処理ルーチン（ステップＳ２０１９）を終了する。
【０２７３】
（その他の実施形態）
なお、上記実施形態の説明に於いては、単数の撮像装置１００または５００と単数の画像処理装置３００との組み合わせとして説明を行った。しかしながら、本発明はこれに限るものではなく、単数或いは複数の任意の数の撮像装置と、単数或いは複数の任意の数の画像処理装置を組み合わせた撮像システムとして構成しても問題無い。
【０２７４】
また、記録媒体２００は画像処理装置３００と分離していて任意に接続可能なものとして説明したが、記録媒体２００が画像処理装置３００に固定したままとなっていても勿論問題無い。
【０２７５】
また、本発明の目的は、以下の様にして達成することも可能である。まず、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。
【０２７６】
また、コンピュータが読み出したプログラムコードを実行することにより、前述した実施形態の機能が実現されるだけでなく、以下のようにして達成することも可能である。即ち、読み出したプログラムコードの指示に基づき、コンピュータ上で稼働しているオペレーティングシステム（ＯＳ）などが実際の処理の一部または全部を行い、その処理によって前述した実施形態の機能が実現される場合である。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【図面の簡単な説明】
【０２７７】
【図１】本発明の第１の実施形態におけるシステムの構成図である。
【図２】本発明の第１の実施形態における撮像装置の構成を示すブロック図である。
【図３】本発明の第１の実施形態における画像処理装置の構成を示すブロック図である。
【図４】本発明の第１の実施形態における撮像装置の主ルーチンの一部を示すフローチャートである。
【図５】本発明の第１の実施形態における撮像装置の主ルーチンの一部を示すフローチャートである。
【図６】本発明の第１の実施形態における撮像装置の主ルーチンの一部を示すフローチャートである。
【図７】本発明の第１の実施形態における撮像装置の測距・測光ルーチンのフローチャートである。
【図８】本発明の第１の実施形態における撮像装置の撮影ルーチンのフローチャートである。
【図９】本発明の第１の実施形態における撮像装置のオートパワーオフ実行判定処理ルーチンのフローチャートである。
【図１０】本発明の第１の実施形態における画像処理装置の主ルーチンのフローチャートである。
【図１１】本発明の第２の実施形態における撮像装置のオートパワーオフ実行判定処理ルーチンのフローチャートである。
【図１２】本発明の第３の実施形態における撮像装置のオートパワーオフ実行判定処理ルーチンのフローチャートである。
【図１３】本発明の第４の実施形態における撮像装置のオートパワーオフ実行判定処理ルーチンのフローチャートである。
【図１４】本発明の第５の実施形態におけるシステムの構成図である。
【図１５】本発明の第５の実施形態における撮像装置の構成を示すブロック図である。
【図１６】本発明の第５の実施形態における撮像装置の主ルーチンの一部を示すフローチャートである。
【図１７】本発明の第５の実施形態における撮像装置の主ルーチンの一部を示すフローチャートである。
【図１８】本発明の第５の実施形態における撮像装置の撮影同時転送処理ルーチンのフローチャートである。
【図１９】本発明の第５の実施形態における撮像装置の撮影同時転送処理ルーチンのフローチャートである。
【図２０】本発明の第５の実施形態における撮像装置のPCダイレクト転送処理ルーチンのフローチャートである。
【図２１】本発明の第５の実施形態における撮像装置のリモートキャプチャー処理ルーチンのフローチャートである。
【図２２】本発明の第５の実施形態における撮像装置のオートパワーオフ実行判定処理ルーチンのフローチャートである。
【図２３】本発明の第５の実施形態における画像処理装置の主ルーチンのフローチャートである。
【図２４】本発明の第５の実施形態における画像処理装置の撮影同時受信処理ルーチンのフローチャートである。
【図２５】本発明の第５の実施形態における画像処理装置のPCダイレクト受信処理ルーチンのフローチャートである。
【図２６】本発明の第５の実施形態における画像処理装置のリモートキャプチャー制御処理ルーチンのフローチャートである。
【符号の説明】
【０２７８】
１０：撮影レンズ、１２：シャッター、１４：撮像素子、１６：Ａ／Ｄ変換器、１８：タイミング発生回路、２０：画像処理回路、２２：メモリ制御回路、２４：画像表示メモリ、２６：Ｄ／Ａ変換器、２８：画像表示部、３０：メモリ、３２：圧縮・伸長回路、４０：露光制御部、４２：測距制御部、４４：ズーム制御部、４６：バリア制御部、４８：フラッシュ、５０，３５０：システム制御回路、５２，３５２：メモリ、５４，３６０：通知部、５６：不揮発性メモリ、５８：識別情報記憶部、６０：モードダイアルスイッチ、６２：シャッタースイッチＳＷ１、６４：シャッタースイッチＳＷ２、６６：単写／連写スイッチ、７０，３６２：操作部、７２：メインスイッチ、８０，３８０：電源制御部、８２，８４，３８２，３８４：コネクタ、８６，３８６：電源、９０，３９０：入出力Ｉ／Ｆ、９２，３９２：コネクタ、９４，３６６：記録媒体着脱検知回路、１００，５００：撮像装置、１０２：バリア、１０４：光学ファインダ、１１０，３２６，３３０：通信回路、１１２，３２８，３３２：アンテナ、２００：記録媒体、２０２：記録部、２０４：インタフェース、２０６：コネクタ、２０８：識別情報記憶部、３００：画像処理装置、３１０：マイク、３１２：Ａ／Ｄ変換器、３１４：メモリ制御回路、３１６：Ｄ／Ａ変換器、３１８：スピーカー、３２０：メモリ、３２２：Ｄ／Ａ変換器、３２４：画像表示部、３５４：不揮発性メモリ、３５６：識別情報記憶部、３６４：着信通知部、３７０：印刷部
【図１】
0004743856.tif 000002
【図２】
0004743856.tif 000003
【図３】
0004743856.tif 000004
【図４】
0004743856.tif 000005
【図５】
0004743856.tif 000006
【図６】
0004743856.tif 000007
【図７】
0004743856.tif 000008
【図８】
0004743856.tif 000009
【図９】
0004743856.tif 000010
【図１０】
0004743856.tif 000011
【図１１】
0004743856.tif 000012
【図１２】
0004743856.tif 000013
【図１３】
0004743856.tif 000014
【図１４】
0004743856.tif 000015
【図１５】
0004743856.tif 000016
【図１６】
0004743856.tif 000017
【図１７】
0004743856.tif 000018
【図１８】
0004743856.tif 000019
【図１９】
0004743856.tif 000020
【図２０】
0004743856.tif 000021
【図２１】
0004743856.tif 000022
【図２２】
0004743856.tif 000023
【図２３】
0004743856.tif 000024
【図２４】
0004743856.tif 000025
【図２５】
0004743856.tif 000026
【図２６】
0004743856.tif 000027